(57)【要約】      （修正有）【課題】レイテンシ低減を伴うフレキシブルＴＤＤサブフレーム構造をサポートするユーザ機器を提供する。【解決手段】ユーザ機器は、基地局から、フレームのサブフレームのための最初のアップリンク／ダウンリンク（ＵＬ／ＤＬ）構成への変更を示す指示を受信する。ここにおいて、最初のＵＬ／ＤＬ構成は、各サブフレームのための最初のサブフレーム構成オプションを定義する。さらに、指示に少なくとも部分的に基づいて、フレームのサブフレームのための適応サブフレーム構成を決定することと、適応サブフレーム構成に従ってサブフレーム中に通信することと、を実行する。【選択図】図１３
2020167713.tif 000002
【特許請求の範囲】
【請求項１】
ワイヤレス通信の方法であって、
フレームの各サブフレームのためのサブフレーム構成オプションを定義するアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することとを備える方法。
【請求項２】
前記サブフレーム構成オプションが、前記フレームの各サブフレームのための、スペシャルサブフレーム構成、ＤＬサブフレーム構成、または、ＵＬサブフレーム構成を備える、請求項１に記載の方法。
【請求項３】
前記制約は、前記サブフレームのための前記ＵＬ／ＤＬ構成がＤＬサブフレーム構成であるとき、セル固有基準信号（ＣＲＳ）送信またはマルチメディアブロードキャストマルチキャストサービス（ＭＢＭＳ）送信に少なくとも部分的に基づく、請求項１に記載の方法。
【請求項４】
前記制約は、前記サブフレームのための前記ＵＬ／ＤＬ構成がスペシャルサブフレーム構成であるとき、同期信号に少なくとも部分的に基づく、請求項１に記載の方法。
【請求項５】
前記制約は、前記サブフレームのための前記ＵＬ／ＤＬ構成がＵＬサブフレーム構成であるとき、サウンディング基準信号（ＳＲＳ）送信に少なくとも部分的に基づく、請求項１に記載の方法。
【請求項６】
前記ＵＬ／ＤＬ構成が、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づいて識別される、請求項１に記載の方法。
【請求項７】
前記適応サブフレーム構成が、ユーザ機器（ＵＥ）のセットに対応する２つまたはそれ以上のシンボルパーティションを備える、請求項１に記載の方法。
【請求項８】
各シンボルパーティションが、ＤＬ部分と、ＵＬ部分と、ガード期間とを備え、ここにおいて、各パーティションのための前記ＤＬ部分は、別のシンボルパーティションのＵＬ部分が開始する前に終了する、請求項７に記載の方法。
【請求項９】
各シンボルパーティションが、ＵＥの前記セットのうちの対応するＵＥのための、ＤＬデータに対するＵＬデータの比率、ＵＬタイミングアドバンス、リンクバジェット、またはＵＥ処理能力に少なくとも部分的に基づく、請求項７に記載の方法。
【請求項１０】
前記適応サブフレーム構成の指示を１つまたは複数のユーザ機器（ＵＥ）に送信することをさらに備える、請求項１に記載の方法。
【請求項１１】
基地局から前記適応サブフレーム構成の指示を受信することをさらに備え、ここにおいて、前記適応サブフレーム構成の前記決定が、前記指示に少なくとも部分的に基づく、請求項１に記載の方法。
【請求項１２】
前記適応サブフレーム構成が、ＤＬ動作のためのシンボルパーティションの第１のセットと、ＵＬ動作のためのシンボルパーティションの第２のセットとを備える、請求項１に記載の方法。
【請求項１３】
前記適応サブフレーム構成が、２つまたはそれ以上の異なる開始シンボルを備え、ここにおいて、各開始シンボルが、あるタイプのＵＬ制御情報（ＵＣＩ）またはＵＬ共有データに関連する、請求項１に記載の方法。
【請求項１４】
前記適応サブフレーム構成が、ＵＬ制御チャネルとＵＬデータチャネルとを備える、請求項１に記載の方法。
【請求項１５】
前記適応サブフレーム構成が、ＵＬデータ部分とハイブリッド自動再送要求（ＨＡＲＱ）フィードバック部分とを備える、請求項１に記載の方法。
【請求項１６】
前記適応サブフレーム構成が、周波数分割多重化（ＦＤＭ）構成または時分割多重化（ＴＤＭ）構成、あるいはそれらの組合せを備える、請求項１に記載の方法。
【請求項１７】
前記適応サブフレーム構成のＤＬ部分が、少なくとも１つの制御チャネルシンボル期間と少なくとも１つのデータチャネルシンボル期間とを備える、請求項１に記載の方法。
【請求項１８】
ＤＬ許可が前記適応サブフレーム構成の第１の構造を示し、ＵＬ許可が前記適応サブフレーム構成の第２の構造を示す、請求項１に記載の方法。
【請求項１９】
前記適応サブフレーム構成が基準信号構成を備え、ここにおいて、前記基準信号構成の各基準信号が、前記サブフレームの始めに実質的に位置する、請求項１に記載の方法。
【請求項２０】
前記基準信号構成がチャネル状態情報（ＣＳＩ）基準信号（ＣＳＩ−ＲＳ）構成を備え、ここにおいて、前記ＣＳＩ−ＲＳ構成が動的にまたは半静的に示される、請求項１９に記載の方法。
【請求項２１】
前記適応サブフレーム構成が、ＤＬ動作またはＵＬ動作のうちの少なくとも１つのためのトランスポートブロックサイズ（ＴＢＳ）スケーリングパラメータに関連し、ここにおいて、前記ＴＢＳスケーリングパラメータが、前記適応サブフレーム構成に少なくとも部分的に基づいて決定される、請求項１に記載の方法。
【請求項２２】
前記適応サブフレーム構成が、前記フレームのＤＬサブフレーム、スペシャルサブフレーム、またはＵＬサブフレームに関連するハイブリッド自動再送要求（ＨＡＲＱ）プロセスのセットとは異なるＨＡＲＱプロセスに関連する、請求項１に記載の方法。
【請求項２３】
前記適応サブフレーム構成が、前記ＵＬ／ＤＬ構成に関連するソフトバッファの第２の部分とは異なる前記ソフトバッファの第１の部分に関連する、請求項１に記載の方法。
【請求項２４】
前記フレームの別のサブフレームに関する前記適応サブフレーム構成のための干渉統計値をワイヤレスネットワークの別の基地局と交換することをさらに備える、請求項１に記載の方法。
【請求項２５】
ワイヤレス通信のための装置であって、
フレームの各サブフレームのためのサブフレーム構成オプションを定義する第１のアップリンク／ダウンリンク（ＵＬ／ＤＬ）構成を識別するための手段と、
前記ＵＬ／ＤＬ構成に少なくとも部分的に基づいて、前記フレームのサブフレームのための制約を決定するための手段と、
前記制約に少なくとも部分的に基づいて、前記サブフレームのための適応サブフレーム構成を決定するための手段と、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信するための手段とを備える装置。
【請求項２６】
前記適応サブフレーム構成の指示を１つまたは複数のユーザ機器（ＵＥ）に送信するための手段をさらに備える、請求項２５に記載の装置。
【請求項２７】
基地局から前記適応サブフレーム構成の指示を受信するための手段をさらに備え、ここにおいて、前記適応サブフレーム構成を決定するための前記手段が、前記指示に少なくとも部分的に基づいて動作可能である、請求項２５に記載の装置。
【請求項２８】
前記フレームの別のサブフレームに関する前記適応サブフレーム構成のための干渉統計値をワイヤレスネットワークの別の基地局と交換するための手段をさらに備える、請求項２５に記載の装置。
【請求項２９】
ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
フレームの各サブフレームのためのサブフレーム構成オプションを定義する第１のアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することと
を行わせるように動作可能である、装置。
【請求項３０】
ワイヤレス通信のためのコードを記憶する非一時的コンピュータ可読媒体であって、前記コードは、
フレームの各サブフレームのためのサブフレーム構成オプションを定義する第１のアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することとを行うために実行可能な命令を備える、非一時的コンピュータ可読媒体。
【発明の詳細な説明】
【技術分野】
【０００１】
相互参照
[0001]本特許出願は、各々が本出願の譲受人に譲渡された、２０１６年６月２３日に出願された、「Flexible Time Division Duplexing (TDD) Subframe Structure With Latency Reduction」と題する、Ｃｈｅｎらによる米国特許出願第１５／１９１，４５２号、および２０１５年１０月１９日に出願された、「Flexible Time Division Duplexing (TDD) Subframe Structure With Latency Reduction」と題する、Ｃｈｅｎらによる米国仮特許出願第６２／２４３，６３１号の優先権を主張する。
【０００２】
[0002]以下は、一般にワイヤレス通信に関し、より詳細には、レイテンシ低減を伴うフレキシブル時分割複信（ＴＤＤ）サブフレーム構造に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]ワイヤレス多元接続技術は、異なるワイヤレスデバイスが都市、国家、地域、さらには地球規模で通信することを可能にする共通プロトコルを与えるために様々な電気通信規格において採用されている。例示的な電気通信規格はロングタームエボリューション（ＬＴＥ（登録商標））である。ＬＴＥは、スペクトル効率を改善し、コストを低下させ、サービスを改善し、新しいスペクトルを利用し、他のオープン規格とより良く一体化するように設計される。ＬＴＥは、ダウンリンク（ＤＬ）上でＯＦＤＭＡを使用し、アップリンク（ＵＬ）上でシングルキャリア周波数分割多元接続（ＳＣ−ＦＤＭＡ）を使用し、多入力多出力（ＭＩＭＯ）アンテナ技術を使用し得る。
【０００５】
[0005]いくつかの場合には、ワイヤレスネットワークは、同じ周波数スペクトルを使用するアップリンク通信とダウンリンク通信の両方に適応する（accommodate）ためにＴＤＤ動作を使用し得る。たとえば、基地局は、各サブフレームが、アップリンクサブフレーム、ダウンリンクサブフレーム、またはスペシャルサブフレーム（すなわち、アップリンクサブフレームとダウンリンクサブフレームとの間の遷移サブフレーム）として指定される、無線フレーム構成を選択し得る。しかしながら、サブフレーム全体をアップリンクまたはダウンリンクのために指定することは、有意な（significant）ラウンドトリップレイテンシを生じ得る。これは、通信ネットワークのスループットまたは応答性を制限し得る。
【発明の概要】
【０００６】
[0006]ワイヤレスデバイスが、フレームの各サブフレームのためのサブフレーム構成オプションを定義するアップリンク／ダウンリンク（ＵＬ／ＤＬ）構成を識別し得る。たとえば、ＵＬ／ＤＬ構成は、基地局とユーザ機器（ＵＥ）との間の時分割複信（ＴＤＤ）動作のためのパラメータを確立し得る。デバイス（たとえば、ＵＥまたは基地局）は、ＵＬ／ＤＬ構成に基づいてフレームのサブフレームのための制約を決定し、次いで、その制約に基づいて適応サブフレーム構成を決定し得る。適応サブフレームに関する制約は、適応サブフレームの時間期間中の他のＵＥによる通信に関する中断（disruption）を回避するために決定されるか、または課され得る。適応サブフレーム構成は、少なくとも１つのダウンリンク（ＤＬ）シンボル期間と少なくとも１つのアップリンク（ＵＬ）シンボル期間とを含み得る。デバイスは、次いで、元のＵＬ／ＤＬ構成ではなく適応サブフレーム構成に従ってサブフレーム中に通信し得る。
【０００７】
[0007]ワイヤレス通信の方法が説明される。本方法は、フレームの各サブフレームのためのサブフレーム構成オプションを定義するＵＬ／ＤＬ構成を識別することと、ＵＬ／ＤＬ構成に少なくとも部分的に基づいて、フレームのサブフレームのための制約を決定することと、その制約に少なくとも部分的に基づいて、サブフレームのための適応サブフレーム構成を決定することとを含み得る。適応サブフレーム構成は、少なくとも１つのＤＬシンボル期間と少なくとも１つのＵＬシンボル期間とを含み得る。本方法はまた、適応サブフレーム構成に従ってサブフレーム中に通信することを含み得る。
【０００８】
[0008]ワイヤレス通信のための装置が説明される。本装置は、フレームの各サブフレームのためのサブフレーム構成オプションを定義するＵＬ／ＤＬ構成を識別するための手段と、ＵＬ／ＤＬ構成に少なくとも部分的に基づいて、フレームのサブフレームのための制約を決定するための手段と、その制約に少なくとも部分的に基づいて、サブフレームのための適応サブフレーム構成を決定するための手段とを含み得る。適応サブフレーム構成は、少なくとも１つのＤＬシンボル期間と少なくとも１つのＵＬシンボル期間とを含み得る。本装置はまた、適応サブフレーム構成に従ってサブフレーム中に通信するための手段を含み得る。
【０００９】
[0009]説明されるワイヤレス通信のためのさらなる装置。本装置は、プロセッサと、プロセッサと電子通信しているメモリと、メモリに記憶された命令とを含み得る。命令は、プロセッサによって実行されたとき、本装置に、フレームの各サブフレームのためのサブフレーム構成オプションを定義するＵＬ／ＤＬ構成を識別することと、ＵＬ／ＤＬ構成に少なくとも部分的に基づいて、フレームのサブフレームのための制約を決定することと、その制約に少なくとも部分的に基づいて、サブフレームのための適応サブフレーム構成を決定することとを行わせるように動作可能であり得る。適応サブフレーム構成は、少なくとも１つのＤＬシンボル期間と少なくとも１つのＵＬシンボル期間とを含み得る。命令はまた、本装置に、適応サブフレーム構成に従ってサブフレーム中に通信することを行わせるように動作可能であり得る。
【００１０】
[0010]また、ワイヤレス通信のためのコードを記憶する非一時的コンピュータ可読媒体が説明される。本非一時的コンピュータ可読媒体は、フレームの各サブフレームのためのサブフレーム構成オプションを定義するＵＬ／ＤＬ構成を識別することと、ＵＬ／ＤＬ構成に少なくとも部分的に基づいて、フレームのサブフレームのための制約を決定することと、その制約に少なくとも部分的に基づいて、サブフレームのための適応サブフレーム構成を決定することとを行うために実行可能な命令を備えるコードを含み得る。適応サブフレーム構成は、少なくとも１つのＤＬシンボル期間と少なくとも１つのＵＬシンボル期間とを含み得る。コードはまた、適応サブフレーム構成に従ってサブフレーム中に通信するために実行可能であり得る。
【００１１】
[0011]本明細書で説明される方法、装置、または非一時的コンピュータ可読媒体のいくつかの例では、サブフレーム構成オプションは、フレームの各サブフレームのためのＵＬサブフレーム構成、ＤＬサブフレーム構成、またはスペシャルサブフレーム構成を含み得る。いくつかの例では、制約は、サブフレームのためのＵＬ／ＤＬ構成がＤＬサブフレーム構成であるとき、セル固有基準信号（ＣＲＳ）送信またはマルチメディアブロードキャストマルチキャストサービス（ＭＢＭＳ）送信に少なくとも部分的に基づき得る。追加または代替として、いくつかの例では、制約は、サブフレームのためのＵＬ／ＤＬ構成がスペシャルサブフレーム構成であるとき、同期信号に少なくとも部分的に基づき得る。
【００１２】
[0012]本明細書で説明される方法、装置、または非一時的コンピュータ可読媒体のいくつかの例では、制約は、サブフレームのためのＵＬ／ＤＬ構成がＵＬサブフレーム構成であるとき、サウンディング基準信号（ＳＲＳ）送信に少なくとも部分的に基づき得る。いくつかの例では、ＵＬ／ＤＬ構成は、システム情報（ＳＩ）、拡張干渉管理およびトラフィック適応（ｅＩＭＴＡ：enhanced interference management and traffic adaptation）指示、またはＤＬハイブリッド自動再送要求（ＨＡＲＱ）基準構成のうちの少なくとも１つ、あるいはそれらの任意の組合せの受信に部分的に基づいて識別され得る。
【００１３】
[0013]本明細書で説明される方法、装置、または非一時的コンピュータ可読媒体のいくつかの例では、適応サブフレーム構成は、ＵＥのセットに対応する２つまたはそれ以上のシンボルパーティションを備える。いくつかの例では、各シンボルパーティションは、ＤＬ部分と、ＵＬ部分と、ガード期間とを含み得、各パーティションのためのＤＬ部分は、別のシンボルパーティションのＵＬ部分が開始する前に終了し得る。いくつかの例では、各シンボルパーティションは、ＵＥのセットのうちの対応するＵＥのための、ＤＬデータに対するＵＬデータの比率、ＵＬタイミングアドバンス、リンクバジェット、またはＵＥ処理能力に少なくとも部分的に基づき得る。
【００１４】
[0014]本明細書で説明される方法、装置、または非一時的コンピュータ可読媒体のいくつかの例は、適応サブフレーム構成の指示を１つまたは複数のＵＥに送信するためのプロセス、特徴、手段、または命令をさらに含み得る。いくつかの例は、基地局から適応サブフレーム構成の指示を受信するためのプロセス、特徴、手段、または命令を含み得、適応サブフレーム構成決定は、その指示に少なくとも部分的に基づき得る。いくつかの例では、適応サブフレーム構成は、ＤＬ動作のためのシンボルパーティションの第１のセットと、ＵＬ動作のためのシンボルパーティションの第２のセットとを含み得る。
【００１５】
[0015]本明細書で説明される方法、装置、または非一時的コンピュータ可読媒体のいくつかの例では、適応サブフレーム構成は、２つまたはそれ以上の異なる開始シンボルを含み得、各開始シンボルは、あるタイプのＵＬ制御情報（ＵＣＩ）またはＵＬ共有データに関連し得る。いくつかの例では、適応サブフレーム構成は、ＵＬ制御チャネルとＵＬデータチャネルとを含み得る。追加または代替として、適応サブフレーム構成は、ＵＬデータ部分とＨＡＲＱフィードバック部分とを含み得る。いくつかの例では、適応サブフレーム構成は、周波数分割多重化（ＦＤＭ）構成または時分割多重化（ＴＤＭ）構成、あるいはそれらの組合せを含み得る。いくつかの例では、適応サブフレーム構成のＤＬ部分は、少なくとも１つの制御チャネルシンボル期間と少なくとも１つのデータチャネルシンボル期間とを含み得る。
【００１６】
[0016]本明細書で説明される方法、装置、または非一時的コンピュータ可読媒体のいくつかの例では、ＤＬ許可は適応サブフレーム構成の第１の構造を示し得、ＵＬ許可は適応サブフレーム構成の第２の構造を示し得る。いくつかの例では、適応サブフレーム構成は基準信号構成を含み得、基準信号構成の各基準信号は、サブフレームの始めに実質的に位置し得る。追加または代替として、いくつかの例では、基準信号構成はチャネル状態情報（ＣＳＩ）基準信号（ＣＳＩ−ＲＳ）構成を含み得、ＣＳＩ−ＲＳ構成は動的にまたは半静的に示され得る。
【００１７】
[0017]本明細書で説明される方法、装置、または非一時的コンピュータ可読媒体のいくつかの例では、適応サブフレーム構成は、ＤＬ動作またはＵＬ動作のうちの少なくとも１つのためのトランスポートブロックサイズ（ＴＢＳ）スケーリングパラメータに関連し得、ＴＢＳスケーリングパラメータは、適応サブフレーム構成に少なくとも部分的に基づいて決定され得る。いくつかの例では、適応サブフレーム構成は、フレームのＤＬサブフレーム、スペシャルサブフレーム、またはＵＬサブフレームに関連するＨＡＲＱプロセスのセットとは異なり得るＨＡＲＱプロセスに関連し得る。適応サブフレーム構成は、ＵＬ／ＤＬ構成に関連するソフトバッファの第２の部分とは異なり得るソフトバッファの第１の部分に関連し得る。追加または代替として、いくつかの例は、フレームの別のサブフレームに関する適応サブフレーム構成のための干渉統計値をワイヤレスネットワークの別の基地局と交換するためのプロセス、特徴、手段、または命令を含み得る。
【図面の簡単な説明】
【００１８】
【図１】[0018]本開示の態様による、レイテンシ低減を伴う（with）フレキシブル時分割複信（ＴＤＤ）サブフレーム構造をサポートするワイヤレス通信システムの一例を示す図。
【図２】[0019]本開示の態様による、レイテンシ低減を伴うフレキシブルＴＤＤサブフレーム構造をサポートするワイヤレス通信システムの一例を示す図。
【図３】[0020]本開示の態様による、レイテンシ低減を伴うフレキシブルＴＤＤサブフレーム構造の一例を示す図。
【図４】[0021]本開示の態様による、レイテンシ低減を伴うフレキシブルＴＤＤサブフレーム構造の一例を示す図。
【図５Ａ】[0022]本開示の態様による、レイテンシ低減を伴う１つまたは複数のフレキシブルＴＤＤサブフレーム構造の例を示す図。
【図５Ｂ】本開示の態様による、レイテンシ低減を伴う１つまたは複数のフレキシブルＴＤＤサブフレーム構造の例を示す図。
【図６】[0023]本開示の態様による、レイテンシ低減を伴うフレキシブルＴＤＤサブフレーム構造の一例を示す図。
【図７】[0024]本開示の態様による、レイテンシ低減を伴うフレキシブルＴＤＤサブフレーム構造をサポートするシステムにおけるプロセスフローの一例を示す図。
【図８】[0025]本開示の態様による、レイテンシ低減を伴うフレキシブルＴＤＤサブフレーム構造をサポートする１つまたは複数のワイヤレスデバイスのブロック図。
【図９】本開示の態様による、レイテンシ低減を伴うフレキシブルＴＤＤサブフレーム構造をサポートする１つまたは複数のワイヤレスデバイスのブロック図。
【図１０】本開示の態様による、レイテンシ低減を伴うフレキシブルＴＤＤサブフレーム構造をサポートする１つまたは複数のワイヤレスデバイスのブロック図。
【図１１】[0026]本開示の態様による、レイテンシ低減を伴うフレキシブルＴＤＤサブフレーム構造をサポートするＵＥを含むシステムのブロック図。
【図１２】[0027]本開示の態様による、レイテンシ低減を伴うフレキシブルＴＤＤサブフレーム構造をサポートする基地局を含むシステムのブロック図。
【図１３】[0028]本開示の態様による、レイテンシ低減を伴うフレキシブルＴＤＤサブフレーム構造のための方法を示す図。
【図１４】本開示の態様による、レイテンシ低減を伴うフレキシブルＴＤＤサブフレーム構造のための方法を示す図。
【図１５】本開示の態様による、レイテンシ低減を伴うフレキシブルＴＤＤサブフレーム構造のための方法を示す図。
【発明を実施するための形態】
【００１９】
[0029]ワイヤレス通信システムは、送信時間間隔（ＴＴＩ）が、そのシステムにおける他のＴＴＩまたは他のワイヤレスシステムのＴＴＩと比較して、低減された持続時間を有し得る、低レイテンシ動作を使用し得る。時分割複信（ＴＤＤ）通信のためのサブフレーム構造は、そのような低レイテンシシステムにおいて様々な構成をとり（take on）得る。たとえば、いくつかのＴＴＩ（たとえば、いくつかのサブフレーム）は、ＵＬまたはＤＬのために指定されたサブフレーム全体に対する（relative to）レイテンシ低減が、ユーザ機器（ＵＥ）と基地局との間の送信のラウンドトリップ時間によって実現され得るように、ＵＬ領域とＤＬ領域の両方を含み得る。
【００２０】
[0030]たとえば、適応サブフレームと呼ばれることがある１つのサブフレーム中に、ユーザデータと制御情報とを搬送するダウンリンク（ＤＬ）領域と、ガード期間と、アップリンク制御情報を搬送するアップリンク（ＵＬ）領域とがあり得る。いくつかの場合には、ＤＬ領域は、ＵＬ送信とＤＬ送信の両方のためのスケジューリング情報を含んでいることがある。適応サブフレームのためのサブフレーム構造は、様々な構成オプションに基づいて変更または適応され得る。
【００２１】
[0031]いくつかの場合には、適応サブフレームは、複数のＵＥとの通信のために使用され得る。サブフレームは、ＵＥのうちの１つまたは複数の能力と、適応サブフレームを含む無線フレームのためのアップリンク／ダウンリンク（ＵＬ／ＤＬ）構成とに基づいて様々な構造をとり得る。他の場合には、異なる適応サブフレーム構造が、単一のＵＥによって使用される異なる周波数領域のために使用され得る。
【００２２】
[0032]上記で紹介された本開示の態様は、最初に、ワイヤレス通信システムのコンテキストにおいて説明される。次いで、適応サブフレームに関連するサブフレーム構成とサブフレーム構造との特定の例が与えられる。本開示の態様は、さらに、レイテンシ低減を伴うフレキシブルＴＤＤサブフレーム構造に関係する装置図、システム図、およびフローチャートによって示され、それらを参照しながら説明される。
【００２３】
[0033]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、ＴＤＤ通信のための適応サブフレームの使用をサポートし得る。適応サブフレームは、ＴＤＤ構成のアップリンク／ダウンリンク（ＵＬ／ＤＬ）によって制約される様々な構成オプションに基づいて決定され得る。
【００２４】
[0034]基地局１０５は、１つまたは複数の基地局アンテナを介してＵＥ１１５とワイヤレス通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのＵＬ送信、または基地局１０５からＵＥ１１５へのＤＬ送信を含み得る。通信リンク１２５は、本明細書で説明されるように、適応サブフレームを使用する通信を含み得る。
【００２５】
[0035]ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末（ＡＴ）、ハンドセット、ユーザエージェント、クライアント、または同様の用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。いくつかのＵＥ１１５は、適応サブフレームを使用する通信をサポートし、適応サブフレームに関連するレイテンシ低減から恩恵を受け得る。
【００２６】
[0036]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。適応サブフレームを使用する通信をサポートするために、基地局１０５は、バックホールリンク１３２および１３４上でコアネットワークとおよび互いと干渉統計値を交換し得る
[0037]ＬＴＥにおける時間間隔は、基本時間単位（たとえば、サンプリング周期、Ｔs＝１／３０，７２０，０００秒）の倍数単位で表され得、０から１０２３に及ぶシステムフレーム番号（ＳＦＮ）によって識別され得る、長さ１０ｍｓの無線フレーム（Ｔf＝３０７２００Ｔs）に従って編成され得る。各フレームは、０から９までの番号を付けられた１０個の１ｍｓサブフレームを含み得る。サブフレームは、その各々が（各シンボルにプリペンドされたサイクリックプレフィックス（ＣＰ）の長さに応じて）６つまたは７つの変調シンボル期間を含んでいる、２つの．５ｍｓスロットにさらに分割され得る。ＣＰを除いて、各シンボルは２０４８個のサンプル期間を含んでいる。いくつかの場合には、サブフレームは、ＴＴＩとしても知られる、最も小さいスケジューリング単位であり得る。他の場合には、ＴＴＩは、サブフレームよりも短いことがあるか、または（たとえば、短いＴＴＩバーストにおいて、または短いＴＴＩを使用する選択されたＣＣにおいて）動的に選択され得る。以下で説明されるように、適応サブフレームは、ＤＬ通信とＵＬ通信の両方をサポートし得る。
【００２７】
[0038]通信のために使用される周波数領域は、キャリア、コンポーネントキャリア（ＣＣ）、レイヤ、チャネルなどと呼ばれることもある。「コンポーネントキャリア」という用語は、キャリアアグリゲーション（ＣＡ）動作においてＵＥ１１５によって利用される複数のキャリアの各々を指すことがあり、システム帯域幅の他の部分とは別個であり得る。たとえば、コンポーネントキャリアは、独立して、または他のコンポーネントキャリアと組み合わせて利用されることが可能である比較的狭い帯域幅のキャリアであり得る。各コンポーネントキャリアは、ＬＴＥ規格のリリース８またはリリース９に基づく分離キャリアと同じ能力を与え得る。
【００２８】
[0039]複数のコンポーネントキャリアは、いくつかのＵＥ１１５に、より大きい帯域幅と、たとえば、より高いデータレートとを与えるために、アグリゲートされるか、またはコンカレントに利用され得る。したがって、個々のコンポーネントキャリアは、レガシーＵＥ１１５（たとえば、ＬＴＥリリース８またはリリース９を実装するＵＥ１１５）との後方互換性があることがあるが、他のＵＥ１１５（たとえば、リリース８／９後のＬＴＥバージョンを実装するＵＥ１１５）は、マルチキャリアモードにおいて複数のコンポーネントキャリアで構成され得る。ＤＬのために使用されるキャリアはＤＬ  ＣＣと呼ばれることがあり、ＵＬのために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００２９】
[0040]したがって、ＵＥ１１５は、複数のキャリアを利用して単一の基地局１０５と通信し得、また、異なるキャリア上で同時に複数の基地局１０５と通信し得る。基地局１０５の各セルは、ＵＬ  ＣＣとＤＬ  ＣＣとを含み得る。基地局１０５のための各サービングセルのカバレージエリア１１０は異なり得る（たとえば、異なる周波数帯域上のＣＣは、異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥ１１５ごとに上位レイヤ（たとえば、無線リソース制御（ＲＲＣ）など）によって半静的に構成され得る。あるアップリンク制御情報（ＵＣＩ）、たとえば、物理アップリンク制御チャネル（ＰＵＣＣＨ）上で送信された、ＡＣＫ／ＮＡＣＫ、チャネル品質インジケータ（ＣＱＩ）、およびスケジューリング情報は、１次セルによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥ１１５ごとに半静的に構成され得る。いくつかの場合には、２次セルは、１次セルと同じ制御情報を含まないかまたはそれを送信するように構成されないことがある。
【００３０】
[0041]キャリアは、周波数分割複信（ＦＤＤ）動作を使用して（たとえば、対スペクトルリソースを使用して）またはＴＤＤ動作を使用して（たとえば、不対スペクトルリソースを使用して）双方向通信を送信し得る。ＦＤＤのためのフレーム構造（たとえば、フレーム構造タイプ１）とＴＤＤのためのフレーム構造（たとえば、フレーム構造タイプ２）とが定義され得る。ＴＤＤフレーム構造の場合、各サブフレームはＵＬトラフィックまたはＤＬトラフィックを搬送し得、スペシャルサブフレームは、ＤＬ送信とＵＬ送信との間で切り替えるために使用され得る。無線フレーム内のＵＬサブフレームおよびＤＬサブフレームの割振りは、対称または非対称であり得、静的に決定され得るか、または半静的に再構成され得る。スペシャルサブフレームは、ＤＬトラフィックまたはＵＬトラフィックを搬送し得、ＤＬトラフィックとＵＬトラフィックとの間のガード期間（ＧＰ）を含み得る。ＵＬトラフィックからＤＬトラフィックへの切替えは、スペシャルサブフレームまたはガード期間を使用せずに、ＵＥ１１５においてタイミングアドバンスを設定することによって達成され得る。フレーム期間（たとえば、１０ｍｓ）またはフレーム期間の１／２（たとえば、５ｍｓ）に等しい切替えポイント周期性をもつＵＬ−ＤＬ構成もサポートされ得る。
【００３１】
[0042]たとえば、ＴＤＤフレームは１つまたは複数のスペシャルフレームを含み得、スペシャルフレーム間の期間がフレームのためのＴＤＤ  ＤＬＵＬ間切替えポイント周期性を決定し得る。ＴＤＤの使用は、対ＵＬ−ＤＬスペクトルリソース（paired UL-DL spectrum resource）を必要としないフレキシブル展開を提供する。いくつかのＴＤＤネットワーク展開では、ＵＬ通信とＤＬ通信との間で干渉（たとえば、異なる基地局１０５からのＵＬ通信とＤＬ通信との間の干渉、基地局１０５およびＵＥ１１５からのＵＬ通信とＤＬ通信との間の干渉など）が引き起こされ得る。たとえば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信および復号することを試みるＵＥ１１５は、他の近接して位置するＵＥ１１５からのＵＬ送信からの干渉を受けることがある。いくつかのＴＤＤフレームは、以下で説明されるように、適応サブフレームを含み得る。
【００３２】
[0043]いくつかの場合には、ワイヤレス通信システム１００は、１つまたは複数の拡張コンポーネントキャリア（ｅＣＣ）を利用し得る。ｅＣＣは、フレキシブル帯域幅と、異なるＴＴＩと、変更制御チャネル構成とを含む、１つまたは複数の特徴によって特徴づけられ得る。いくつかの場合には、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者が、スペクトルを使用することを認可された場合）無認可スペクトルまたは共有スペクトル中で使用するために構成され得る。フレキシブル帯域幅によって特徴づけられるｅＣＣは、全帯域幅を監視することが可能でないか、または（たとえば、電力を節約するために）限られた帯域幅を使用することを選好することがあるＵＥ１１５によって利用され得る１つまたは複数のセグメントを含み得る。
【００３３】
[0044]いくつかの場合には、ｅＣＣは、他のＣＣとは異なるＴＴＩ長を利用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間も、増加されたサブキャリア間隔に関連し得る。低減されたＴＴＩ長と併せて、ｅＣＣは、動的時分割複信（ＴＤＤ）動作を利用し得る（すなわち、動的条件に従って短いバーストのためにＤＬ動作からＵＬ動作に切り替わり得る）。
【００３４】
[0045]フレキシブル帯域幅および可変ＴＴＩは、変更制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更または追加ハイブリッド自動再送要求（ＨＡＲＱ）関係制御情報をも含み得る。
【００３５】
[0046]ＨＡＲＱは、データが通信リンク１２５上で正確に受信されることを保証する方法であり得る。ＨＡＲＱは、（たとえば、ＣＲＣを使用する）誤り検出と、前方誤り訂正（ＦＥＣ）と、再送信（たとえば、自動再送要求（ＡＲＱ））との組合せを含み得る。ＨＡＲＱは、不良な無線状態（たとえば、信号対雑音状態）において媒体アクセス制御（ＭＡＣ）レイヤにおけるスループットを改善し得る。インクリメンタル冗長ＨＡＲＱでは、不正確に受信されたデータは、データを正常に復号することの全体的尤度を改善するために、バッファに記憶され、後続の送信と組み合わせられ得る。いくつかの場合には、冗長ビットが、送信より前に各メッセージに追加される。これは、不良な状態において有用であり得る。他の場合には、冗長ビットは、各送信に追加されないが、元のメッセージの送信機が、情報を復号する試みの失敗を示す否定応答（ＮＡＣＫ）を受信した後に再送信される。送信、応答、および再送信のチェーンは、ＨＡＲＱプロセスと呼ばれることがある。いくつかの場合には、限られた数のＨＡＲＱプロセスが所与の通信リンク１２５のために使用され得る。ＨＡＲＱ動作に関連するレイテンシは、適応サブフレームなど、単一のサブフレーム内で初期送信とＨＡＲＱフィードバックの両方を与えることによって低減され得る。
【００３６】
[0047]基地局１０５は、ＵＥ１１５のチャネル推定およびコヒーレント復調を助けるために、ＣＲＳなどの周期パイロットシンボルを挿入し得る。ＣＲＳは、５０４個の異なるセル識別情報のうちの１つを含み得る。それらは、それらを雑音および干渉に対して耐性があるようにするために、４位相シフトキーイング（ＱＰＳＫ：quadrature phase shift keying）とブーストされた（たとえば、周囲のデータ要素よりも高い６ｄＢにおいて送信された）電力とを使用して変調され得る。ＣＲＳは、受信ＵＥ１１５のアンテナポートまたはレイヤの数（最高４つ）に基づいて各リソースブロック（ＲＢ）中の４〜１６個のリソース要素（ＲＥ）中に埋め込まれ得る。
【００３７】
[0048]基地局１０５のカバレージエリア１１０中のすべてのＵＥ１１５によって利用され得るＣＲＳに加えて、復調基準信号（ＤＭＲＳ）は、特定のＵＥ１１５を対象とし得、それらのＵＥ１１５に割り当てられたＲＢ上でのみ送信され得る。ＤＭＲＳは、それらが送信される各ＲＢ中の６つのＲＥ上に信号を含み得る。異なるアンテナポートのためのＤＭＲＳは、それぞれ、同じ６つのＲＥを利用し得、（たとえば、異なるＲＥ中で１または−１の異なる組合せで各信号をマスキングする）異なる直交カバーコードを使用して区別され得る。いくつかの場合には、ＤＭＲＳの２つのセットは、隣接するＲＥ中で送信され得る。いくつかの場合には、ＣＳＩ基準信号（ＣＳＩ−ＲＳ）として知られる追加の基準信号が、ＣＳＩを生成するのを助けるために含まれ得る。ＵＬ上で、ＵＥ１１５は、それぞれ、リンク適応および復調のための周期ＳＲＳとＵＬ  ＤＭＲＳの組合せを送信し得る。
【００３８】
[0049]いくつかの基地局１０５は、カバレージエリア１１０内の一部または全部の（some or all）ＵＥ１１５にマルチメディアデータをブロードキャストするために、利用可能なＤＬ帯域幅の一部分を利用し得る。たとえば、ワイヤレス通信システムは、モバイルＴＶコンテンツをブロードキャストするか、あるいはコンサートまたはスポーツイベントなどのライブイベントの近くに位置するＵＥ１１５にライブイベントカバレージをマルチキャストするように構成され得る。いくつかの場合には、これは、帯域幅のより効率的な利用を可能にし得る。これらの基地局１０５は、ＭＢＭＳまたはｅＭＢＭＳセルと呼ばれることがある。いくつかの場合には、ＭＢＭＳセルは、ブロードキャストメディアが各サポートセルによって同じ周波数リソース上で送信される、ＭＢＭＳ単一周波数ネットワーク（ＭＢＳＦＮ）中で一緒にグループ化され得る。しかしながら、カバレージエリア１１０中のいくつかのＵＥ１１５は、ＭＢＭＳデータを受信しないことを選定し得る。
【００３９】
[0050]ＵＥ１１５または基地局１０５は、フレームの各サブフレームのためのサブフレーム構成オプションを定義する第１のアップリンク／ダウンリンク（ＵＬ／ＤＬ）構成（たとえば、ＴＤＤ構成）を識別し得る。ＵＥ１１５または基地局１０５は、ＵＬ／ＤＬ構成に基づいてフレームのサブフレームのための制約を決定し、次いで、その制約に基づいて適応サブフレーム構成を決定し得る。適応サブフレーム構成に関する制約は、ＵＬ／ＤＬ構成、無線フレーム内のＭＢＭＳ、ＣＲＳロケーション、ＳＲＳ送信などに依存し得る。適応サブフレーム構成は、少なくとも１つのダウンリンク（ＤＬ）シンボル期間と少なくとも１つのアップリンク（ＵＬ）シンボル期間とを含み得る。ＵＥ１１５または基地局１０５は、次いで、元のＵＬ／ＤＬ構成ではなく適応サブフレーム構成に従ってサブフレーム中に通信し得る。
【００４０】
[0051]図２は、レイテンシ低減を伴うフレキシブルＴＤＤサブフレーム構造をサポートするワイヤレス通信システム２００の一例を示す。ワイヤレス通信システム２００は、図１を参照しながら説明された対応するデバイスの例であり得る、基地局１０５−ａとＵＥ１１５−ａとを含み得る。ワイヤレス通信システム２００は、適応サブフレームを含むサブフレーム構成を使用する通信をサポートし得る。
【００４１】
[0052]ワイヤレス通信システム２００は、ＤＬ送信とＵＬ送信との間のレイテンシを低減するために、低減されたまたは可変のＴＴＩ持続時間を使用し得る。いくつかのワイヤレスシステムでは、ＨＡＲＱ応答時間は４ｍｓほどかかり得る。低レイテンシ動作は、基地局１０５−ａおよびＵＥ１１５−ａが数百マイクロ秒でＨＡＲＱを完了することを可能にし得る。いくつかの場合には、低レイテンシＴＴＩは、１つのＬＴＥシンボル期間、またはノーマルサイクリックプレフィックス（ＣＰ）の場合には約７１μｓ、拡張ＣＰの場合には約８３μｓに対応し得る。ただし、他のＴＴＩ長さが可能である（たとえば、２つのＬＴＥシンボル期間、１つのスロットなど）。いくつかの低減されたレイテンシ構成では、通信リンク２０５内のサブフレーム（たとえば、適応サブフレーム）はＵＬ領域とＤＬ領域の両方を含み得る。
【００４２】
[0053]サブフレーム内のＵＬ  ＴＴＩとＤＬ  ＴＴＩの両方の可能性に基づいて、および送信方向が基地局１０５−ａによって動的にスケジュールされ得るので、ＵＥ１１５−ａは、今度の（upcoming）ＴＴＩがＵＬ  ＴＴＩになるのかＤＬ  ＴＴＩになるのかに気づいていないことがある。したがって、いくつかの例では、ＵＥ１１５−ａは、各ＴＴＩを、それがＤＬ制御またはデータ送信を含んでいることがあるかのように（as if）監視し得、その仮定を暗黙的または明示的シグナリングと照合し（check against）得る。たとえば、ＵＥ１１５−ａまたは基地局１０５−ａは、許可を受信し、たとえば、（ＤＬ許可の場合には）ＨＡＲＱタイミングまたは（ＵＬ許可の場合には）ＵＬスケジューリングタイミングに基づいて、後続のＴＴＩがＵＬ  ＴＴＩであると決定し得る。追加または代替として、ＵＥ１１５−ａまたは基地局１０５−ａは、所与のＴＴＩより前の所定の時間期間において送信方向の明示的シグナリングを受信し得る。いくつかの場合には、ＵＥ１１５−ａが、明示的または暗黙的シグナリングのどちらかに基づいて、ＴＴＩがＵＬ  ＴＴＩであると決定した場合、ＵＥ１１５−ａは、電力を節約するために、そのＴＴＩ中に監視することを控え得る（または、いくつかの場合には、それはＵＬデータを送信し得る）。
【００４３】
[0054]いくつかの場合には、ＴＤＤを使用する通信は、ＵＬ、ＤＬ、またはスペシャル（あるいは、以下で説明されるようにＤ’、Ｕ’、またはＡ）として指定され得る、ＴＤＤサブフレーム２１０のいくつかのＵＬ／ＤＬ構成に関連し得る。また、複数の切替え周期性（すなわち、５ｍｓおよび１０ｍｓ）がサブフレーム構成の各々に関連し得、ここで、各周期性は、異なる数のスペシャルサブフレームに関連する。たとえば、５ｍｓ切替えポイント周期性は、１つのフレーム中の２つのスペシャルサブフレームに関連し得、１０ｍｓ切替えポイント周期性は、フレーム中の１つのスペシャルサブフレームに対応し得る。表１に示されているように、様々なアップリンク／ダウンリンク構成とダウンリンクアップリンク間切替えポイント周期性との間の関係の一例が与えられる。
【００４４】
【表１】
2020167713.tif 000003
【００４５】
[0055]いくつかの（certain）ＴＤＤ  ＤＬまたはＵＬサブフレーム構成のための後方互換性制約により、ＴＤＤの下で低レイテンシをサポートすることは、追加の制御シグナリングまたは暗黙的制御規約を利用し得る。たとえば、サブフレーム構成は、システム情報ブロードキャスト（たとえば、システム情報ブロックタイプ１（ＳＩＢ１））で示され得る。いくつかのＵＥ１１５は、ＤＬサブフレームとＵＬサブフレームとを、低レイテンシ動作をサポートするサブフレームとして認識し、使用し得るが、他のものは非低レイテンシ構成を認識する。サブフレーム構成は、セル固有基準信号（ＣＲＳ）シンボル、ガード期間（ＧＰ）、または他のネットワーク動作のための制御領域を条件とし（subject to）得る。ＣＲＳは、いくつかの（certain）サブフレームタイプ中に、またはいくつかのサブフレームのある（certain）領域（たとえば、マルチキャストブロードキャスト単一周波数ネットワーク（ＭＢＳＦＮ）サブフレーム中のＭＢＳＦＮ領域）中に存在しないことがあるが、そのようなサブフレームは、依然として低レイテンシ動作のために使用され得る。いくつかの場合には、ＵＬサブフレームまたはスペシャルサブフレームは、ＤＬ／ＵＬ低レイテンシ構成（arrangements）に追加のフレキシビリティを与え得る。また、ＤＬ送信およびＵＬ送信における動的トラフィック変動は、ＵＬトラフィックよりも比較的大きいＤＬトラフィックを生じ得、またはその逆も同様である。
【００４６】
[0056]いくつかの場合には、ＴＤＤ通信のためのサブフレーム構造は異なる構成をとり得る。たとえば、Ｄ’として示される、主にダウンリンクのサブフレームは、通信データおよび／または制御情報を搬送するダウンリンク部分と、ガード期間と、アップリンク制御情報を搬送するアップリンク部分とを含むことができる。代替的に、Ｕ’として示される、主にアップリンクのサブフレームは、制御情報（たとえば、ＵＬ通信のためのスケジューリング情報）を搬送するダウンリンク部分と、ガード期間と、ＵＬデータおよび／または制御情報を搬送するアップリンク部分とを含み得る。
【００４７】
[0057]フレームおよびサブフレーム構成の管理は、ＵＥ１１５の異なるタイプおよび／または動作状態、いくつかのワイヤレスシステムに関連するサブフレームタイプ、ならびに／あるいはリンク方向特性（たとえば、ＰＤＳＣＨおよびＰＵＳＣＨのための異なる構造）に基づき得る。いくつかの場合には、サブフレーム管理はまた、セル固有であるのかＵＥ固有であるのか、ＵＬであるのかＤＬであるのか、または半静的であるのか動的であるのかに基づいて別様に構成され得るガード期間に基づき得る。トランスポートブロックサイズ（ＴＢＳ）、および制御／基準信号（ＲＳ）配置に加えて、サブフレーム領域がＤＬのために使用されるのか、ＵＬのために使用されるのか、またはＧＰのために使用されるのかの指示は、基地局１０５−ａによって送信されるか、または暗黙的に示され得る。
【００４８】
[0058]いくつかの場合には、異なる能力をもつ複数のＵＥ１１５が、複数のフレーム管理構成を使用する同じワイヤレス通信システム内に共存し得る。すなわち、同じセル内に、適応サブフレーム構造に気づいていないいくつかの（some）ＵＥ１１５と、適応サブフレーム構造に気づいている他のＵＥ１１５とがあり得る。その結果、送信の複数の特性を示すために異なる指示が使用され得る。たとえば、半静的ＳＩＢ１指示は、拡張干渉緩和およびトラフィック適応（ｅＩＭＴＡ）のための能力を有しないＵＥ１１５（すなわち、非ｅＩＭＴＡ  ＵＥ１１５）によって読み取られ得、また、ＳＩＢ１によって示されるフレーム構造（ＵＬ／ＤＬサブフレーム構成）は、ｅＩＭＴＡ対応ＵＥ１１５にＵＬ  ＨＡＲＱ動作のための基準構成を与え得る。他の例では、動的ｅＩＭＴＡ指示が、周期的に（たとえば、フレームごとにまたは別の周期性に従って）更新され得るダウンリンク制御情報（ＤＣＩ）中のインジケータ（たとえば、３ビット情報フィールド）を介して搬送され得る。また、半静的ＤＬ  ＨＡＲＱ基準構成が、ｅＩＭＴＡ  ＵＥ１１５およびＤＬ  ＨＡＲＱタイミング管理のために使用され得る。
【００４９】
[0059]いくつかの場合には、いくつかのＵＥ１１５のための異なるフレーム構成の影響を最小限に抑えるために、（スペシャルサブフレーム中のＤｗＰＴＳを含む）ＳＩＢ１中のＤＬサブフレームは、異なるサブフレーム構造を条件としないことがある。ｅＩＭＴＡ
ＤＣＩ中で示されるフレキシブルＤＬサブフレームは、追加または代替として、ｅＩＭＴＡ  ＵＥ１１５への影響を有しないことがある異なるサブフレーム構造に適応され得る。（ＣＳＩ、ＳＲなどの）周期的に構成されるアップリンク制御指示（ＵＣＩ）によって、ＵＬサブフレームがＤＬサブフレームよりも比較的フレキシブルである場合、対応するＵＬサブフレームは異なるサブフレーム構造を条件としないことがある。
【００５０】
[0060]（「Ａ」タイプサブフレームとして示されることがある）適応サブフレーム構造（structure）は、レガシーワイヤレスシステムによって使用されるサブフレーム構造に依存し得る。本明細書で使用されるレガシーという用語は、ワイヤレス通信規格の以前のリリースに従う動作を指すことがある。すなわち、Ａサブフレーム２１５では、ダウンリンクパイロットタイムスロット（ＤｗＰＴＳ）を含んでいるＴＴＩがレガシーＤＬ送信に関連し得、（１次同期信号（ＰＳＳ）がスペシャルサブフレームの第３のシンボル中にあり得る場合）スペシャルサブフレーム中の少なくとも最初の３つのシンボルもレガシーＤＬ送信に関連し得る。
【００５１】
[0061]いくつかの場合には、（たとえば、ＤＬサブフレーム、スペシャルサブフレーム、またはＵＬサブフレームを使用するＴＤＤ構成とは異なる）レガシーワイヤレス通信システムまたはデバイスによって使用されるサブフレーム構成に基づいて異なり得る、Ａサブフレーム２１５への制約があり得る。たとえば、サブフレームは、ＤＬサブフレームとしてＳＩＢ１によって示され得る。この場合、サブフレームがＭＢＳＦＮに関連しない場合、ＣＲＳがＡサブフレーム２１５中に含まれていることがある。代替的に、サブフレームがＭＢＳＦＮに関連する場合、第１のシンボルはＤＬのために使用され得、（４つのＣＲＳポートが使用されるとき）第２のシンボルもＤＬのためのものであり得、残りのシンボルはＣＲＳを含んでいないことがある。代替的に、ＵＥ１１５は、たとえば、ＣＲＳがこれらのＤＬサブフレーム中に存在するのか、他のサブフレーム中に存在するのかを示され得る。
【００５２】
[0062]スペシャルサブフレームが使用される場合、Ａサブフレーム２１５は、（ＰＳＳが第３のシンボル中にあり得る場合）ＤＬのために最初の３つのシンボルを使用し得る。そのような場合、いくつかのＵＥ１１５は、（ＧＰとアップリンクパイロットタイムスロット（ＵｐＰＴＳ）とを含む）合計１１個のシンボルについて、９つのＧＰと２つのＵｐＰＴＳシンボルとを含む、３つのＤｗＰＴＳのスペシャルサブフレーム構造で示され得る。その結果、これらのＵＥは、ＧＰがＤＬ送信またはＵＬ送信のために使用される場合、影響を及ぼされないことがある。ＵＬサブフレームが使用される他の場合には、Ａサブフレーム２１５の最後のシンボルは、セル固有サウンディング基準信号（ＳＲＳ）サブフレームと整合し得る、少なくともいくつかのＡサブフレーム２１５中のＳＲＳのために使用され得る。いくつかの場合には、セル固有基準信号（ＣＲＳ）はＡサブフレーム２１５中に存在しないことがある。
【００５３】
[0063]異なるＵＥ１１５は、異なる処理能力を有し、異なるチャネル／干渉状態、（たとえば、ＵＥに関連する伝搬遅延を補償するための）異なるアップリンクタイミングアドバンスを経験し、またはＤＬ／ＵＬトラフィック送信比を有し得る。したがって、ＤＬ／ＧＰ／ＵＬの区分がＵＥ固有であり得、異なるＵＥ１１５のためのスケジュールされたＤＬ／ＵＬ送信が、時間または周波数、あるいはその両方において重複することもしないこともある場合、ＵＥ固有適応サブフレーム構造が使用され得る。いくつかの場合には、Ａサブフレーム２１５の任意の所与の（any given）時間インスタンスについて、異なる方向における送信によって引き起こされる競合を回避するように構成が選択され得る。
【００５４】
[0064]たとえば、３つの異なるＵＥ１１５のために異なるフレーム構成が使用され得、すなわち、ＵＥ１１５−ａは、より少ない処理能力、および／またはより長いＧＰに関連する大きい更新タイミングアドバンスを有し得、ＵＥ１１５−ｂは、より大きい処理能力、および／またはより短いＧＰに関連する小さいアップリンクタイミングアドバンスを有し得、ＵＥ１１５−ｃは、改善されたアップリンクバジェットおよび／またはより多くのＵＬデータ送信機会のためのより長いＵＬ持続時間（たとえば、４シンボルＰＵＣＣＨ送信対他のＵＥ１１５のための２シンボルＰＵＣＣＨ）に関連し得る。そのような例では、Ａサブフレーム２１５のための３つの構造が、３つの異なるＵＥ１１５のための同じサブフレーム２１０中に共存することができ、ＤＬ／ＵＬ制御領域がすべての構造中に存在し得る。
【００５５】
[0065]Ａサブフレーム２１５の構造がＵＥ固有であるように構成された場合、ブロードキャストシグナリングとは対照的に、ＵＥ固有またはグループ固有シグナリングが使用され得る。ブロードキャストシグナリングは、物理制御フォーマットインジケータチャネル（ＰＣＦＩＣＨ）、または物理ダウンリンク制御チャネル（ＰＤＣＣＨ）、物理ＨＡＲＱインジケータチャネル（ＰＨＩＣＨ）などと同様の形態であり得る。いくつかの場合には、ＵＥ固有シグナリングは、サブフレーム２１０がＡサブフレーム２１５であるかどうかを示し得る、ＤＬトラフィックまたはＵＬトラフィック中のダウンリンク制御情報（ＤＣＩ）スケジューリング中で送信され得る。サブフレーム２１０がＡサブフレーム２１５である場合、対応する構造は可能な構造のセットのうちの１つであり得、ここで、構造のセットは、ＤＬ動作とＵＬ動作とのために別様に定義され得る。いくつかの場合には、グループ固有シグナリングは、Ａサブフレーム２１５のための事前定義または事前構成された構造のセットのうちの構造を示すＤＣＩを監視するＵＥ１１５のグループ（たとえば、ＵＥ１１５−ａ、１１５−ｂ、および１１５−ｃ）を含み得る。ＵＥ固有またはグループ固有シグナリングはサブフレームごとに行われ得、その結果、ＤＬ／ＧＰ／ＵＬ区分は、ＵＥ固有トラフィック送信、チャネル／干渉状態、アップリンクタイミングアドバンス状態、ＵＥ能力などをターゲットにするために動的に管理され得る。
【００５６】
[0066]ＵＥ１１５−ａはまた、サブフレーム中で２つまたはそれ以上の異なる構造を用いてスケジュールされ得る。たとえば、第１の構造はＤＬ制御／データとＵＬ制御とを含み得、第２の構造はＤＬ制御とＵＬデータとを含み得る。したがって、ＵＣＩ（たとえば、ＡＣＫ／ＮＡＣＫ）とＰＵＳＣＨとは、異なるシンボル中で開始し得、したがって異なる持続時間を有し得る。いくつかの場合には、ＵＥ１１５−ａはＤＬデータとＵＬデータの両方を有し得、ＤＬ  ＰＤＳＣＨから対応するＨＡＲＱ  ＡＣＫ／ＮＡＫ応答までの処理時間は、ＵＬ許可から対応するＰＵＳＣＨまでの処理時間よりもはるかに長いことがある。ＵＥ１１５−ａがサブフレーム中の２つまたはそれ以上の構造によって示されるとき、ＤＬ／ＵＬおよびＵＬ／ＤＬ切替え、ＵＬタイミングアドバンスなどに適応するために、構造の間の共通ＧＰが使用され得る。
【００５７】
[0067]いくつかの場合には、異なるＵＣＩも、サブフレーム構成中で異なる開始シンボルを有し得る。たとえば、ＡＣＫ／ＮＡＣＫは、周期チャネル状態情報（Ｐ−ＣＳＩ：periodic channel state information）またはスケジューリング要求（ＳＲ：scheduling request）とは異なるシンボルにおいて開始し得る。いくつかの場合には、非周期ＣＳＩ（Ａ−ＣＳＩ：aperiodic CSI）、Ｐ−ＣＳＩ、およびＳＲは、ＰＵＳＣＨと同じシンボル中で開始し得る。代替的に、Ａ−ＣＳＩは、ＣＳＩフィードバックに関連するより複雑な測定および準備により、ＰＵＳＣＨよりも後に開始し得る。いくつかの場合には、ＵＣＩの送信は、別個のＰＵＣＣＨ中にあり得るか、またはＰＵＳＣＨ上にピギーバックされ得る。したがって、ＰＵＣＣＨがＡＣＫ／ＮＡＣＫを搬送するために使用される場合、ＰＵＣＣＨは、ＰＵＳＣＨのシンボルとは異なるシンボルから開始し得る。これは、ＡＣＫ／ＮＡＣＫがＰＵＳＣＨ／ＣＳＩ／ＳＲよりも後に開始する、ＤＬ／ＵＬ構造の代替表現を表し得る。
【００５８】
[0068]異なるタイプのリソース割振り（多重化）が、適応サブフレーム構造とともに（in conjunction with）使用され得る。たとえば、ワイヤレス通信システム２００は、ＵＥ１１５−ａ、１１５−ｂ、および１１５−ｃの間でリソースを分配するために、周波数分割多重化（ＦＤＭ）または時分割多重化（ＴＤＭ）あるいはその両方の組合せを使用し得る。ＦＤＭは、ＵＥ固有ＧＰおよびより大きい時間／周波数スケジューリングフレキシビリティに関連し得る。しかしながら、ＤＬ時間とＵＬ時間とは、交差しないことがあり、フロントロード（front-load）された制御情報の使用に依存し得る。その結果、レガシーＤＬまたはＵＬリソース割振り機構が使用され得る。
【００５９】
[0069]ＴＤＭは、各ＵＥ１１５についてより大きい周波数ダイバーシティをもつ低レイテンシ動作を可能にし得る。いくつかのＴＤＭシステムでは、総ＧＰ時間が効率的に構成され得る（たとえば、基地局１０５−ａの近くのＵＥ１１５は、ＧＰにより近いＵＬサブフレームを割り当てられ得る）。さらに、（同じく使用され得る）フロントロードされた制御チャネルを使用することとは対照的に、制御チャネルは各バースト内に自蔵され（self-contained）得る。制御チャネルは、送信のための開始および／または終了シンボル、ならびに（たとえば、ＤＬの場合）ＨＡＲＱ  ＡＣＫのためのシンボルを示すことができる。代替的に、ＦＤＭとＴＤＭとの組合せが使用され得、これは、ブロックベース低レイテンシ設計に関連し得、ここで、各シンボルが、限られた数のＵＥ１１５を多重化し得、リソース割振りグラニュラリティ（granularity）が比較的大きいことがある（たとえば、２５個のリソースブロック（ＲＢ））。
【００６０】
[0070]いくつかの例では、（ＤＬデータをスケジュールするために使用される制御チャネルなどの）制御チャネルは、早期復号のためにＡサブフレーム２１５の（１つまたは複数の）第１のシンボル中にあり得る。この制御チャネルは、ＰＤＣＣＨまたはｅＰＤＣＣＨであるか、あるいはそれを含み得る。制御チャネルはまた、ＤＬ許可とＵＬ許可とのために別様に定義され得るサブフレーム構造を動的に示し得る。たとえば、ＤＬ許可は第１の構造を示し得、ＵＬ許可は第２の構造を示し得る。
【００６１】
[0071]いくつかの例では、ＣＲＳベース復調に干渉しないことがある早期復号を可能にする（facilitate）ために、Ａサブフレーム２１５中でＲＳがフロントロードされ得る。復調基準信号（ＤＭ−ＲＳ）ベース復調の場合、ＤＭ−ＲＳは、Ａサブフレーム２１５がレガシーワイヤレスシステムのＵＬサブフレームから適応される場合など、Ａサブフレーム２１５中でできる限り早く送信され得る。たとえば、ＤＭ−ＲＳは、Ａサブフレーム２１５中の第１のスロット中のシンボル０／１／４／５中に存在する。
【００６２】
[0072]チャネル測定のための非ゼロ電力（ＮＺＰ：non-zero power）チャネル状態情報基準信号（ＣＳＩ−ＲＳ）、および干渉測定のためのチャネル状態情報干渉測定（ＣＳＩ−ＩＭ）が、また、Ａサブフレーム２１５中でサポートされ得る。Ａサブフレーム中のＮＺＰ  ＣＳＩ−ＲＳおよびＣＳＩ−ＩＭの存在は、半静的に構成されるか、または（たとえば、ＤＣＩ中で）動的に示され得る。Ａサブフレーム２１５のためのＣＳＩフィードバックは、他のＤＬサブフレーム中のためのＣＳＩとは別個に（separately）管理され得る。たとえば、第１のＣＳＩプロセスはＤＬサブフレームのために使用され得、第２のＣＳＩプロセスはＡサブフレームのために使用され得る。したがって、Ａサブフレーム２１５のためのＣＳＩフィードバックの仮定は、ＤＬサブフレームのためのものとは異なり得る。たとえば、あるＤＬ持続時間の仮定があり得、ここで、持続時間は、サブフレームとは対照的にスロット（１／２サブフレーム）に対応し得る。
【００６３】
[0073]ＤＬデータとＵＬデータの両方のためのトランスポートブロックサイズ（ＴＢＳ）決定のための効率的な設計が、ＤＬおよびＵＬのための限られたリソース利用可能性の場合に（in cases of limited resource availability）使用され得る。ＤＬデータの場合、スケジュールされたＲＢの数が、ＴＢＳルックアップのために使用される前に、スケーリングファクタによってスケーリングされ得る。いくつかの場合には、Ａサブフレーム中のＤＬリソース利用可能性を表す１つまたは複数のスケーリングファクタが、Ａサブフレームのために定義され得る。代替的に、リソース利用可能性に直接基づいてＴＢＳをスケーリングすることなど、他の手段が使用され得る。ＵＬデータの場合、スケジュールされたＲＢの数（the number of scheduled RBs）が、また、ＤＬデータに関して上記で説明されたように、スケーリングファクタによってスケーリングされ得る。
【００６４】
[0074]異なるリソース利用可能性により、ＵＬは、Ａサブフレーム２１５と他のＵＬサブフレームとについて別個に管理され得る。たとえば、ＵＬサブフレームでは、同期ＨＡＲＱプロセスがＵＬのために使用され得、Ａサブフレームでは、非同期ＨＡＲＱプロセスがＵＬのために使用され得る。いくつかの場合には、ＵＬサブフレームおよびＡサブフレームに対応するＨＡＲＱプロセスをもつＴＢＳがないことがあり、これは、それら（the）２つの間の完全な分離（clean separation）を生じ得る。いくつかの場合には、非同期ＵＬ  ＨＡＲＱが、ＵＥ１１５−ａのためのＵＬサブフレームとＡサブフレームの両方に適用可能であり得る。たとえば、両方のタイプのサブフレームに対応するＴＢＳがＨＡＲＱ動作中に送信され得る。
【００６５】
[0075]いくつかの場合には、Ａサブフレームがレガシー動作のＵＬサブフレームから適応されるときなど、レガシーデバイスのために使用されるＦＤＭサブフレームとＡサブフレームとが同じサブフレーム中で送信され得る。たとえば、同じサブフレームが、ＤＬサブフレーム構成およびＡ構成、ＵＬサブフレーム構成およびＡサブフレーム構成、またはスペシャルサブフレームおよびＡサブフレーム構成を含んでいることがある。対応するガードバンドが、干渉を最小限に抑える（minimize）ために各構成間で使用され得る。
【００６６】
[0076]いくつかの例では、ＤＬ／ＵＬサブフレームのためのＨＡＲＱタイミングは、Ａサブフレーム２１５とは別個に管理され得る。すなわち、Ａサブフレームの場合、ＨＡＲＱタイミングはサブフレーム内に自蔵され得、他のＤＬ／ＵＬサブフレームでは、基準構成がＤＬおよびＵＬのためにそれぞれ定義され得る。たとえば、無線リソース制御（ＲＲＣ）構成された基準構成が、ＤＬ  ＨＡＲＱタイミングのために使用され得る。基準構成は、ＵＬ  ＨＡＲＱタイミングのためにＳＩＢ１中で示された構成に基づき得る。
【００６７】
[0077]Ａサブフレーム２１５および他のサブフレーム２１０のためのソフトバッファは、共同で（jointly）または個別に管理され得る。共同バッファ管理の下で、Ａサブフレーム２１５と他のＤＬサブフレームとのためにソフトバッファ区分が行われ得る。個別バッファ管理の下で、ソフトバッファリングが、通常ＤＬサブフレームとＡサブフレーム２１５とのために別様に行われる。ＨＡＲＱフィードバックが１つのサブフレーム中で行われ得る場合、すべてのＡサブフレーム２１５のための単一のソフトバッファが使用され得る。すなわち、すべてのＡサブフレーム２１５のための単一のＨＡＲＱプロセスが使用され得る。
【００６８】
[0078]いくつかの場合には、Ａサブフレーム２１５の干渉特性は、他のＤＬサブフレームまたはＵＬサブフレームとは異なり得る。その結果、Ａサブフレームのための意図された動作は、Ａサブフレーム２１５のために使用され得るサブフレーム、Ａサブフレーム２１５の（１つまたは複数の）潜在的構造などの変更を含み得る、効率的なセル間干渉協調のためにセルの間で交換され得る。実施形態は、周波数分割複信（ＦＤＤ）におけるフレキシブル複信に適用され得る。すなわち、ＦＤＤにおけるＤＬ送信のために使用されるＵＬサブフレームは、上記で説明されたのと同様の構成および技法を採用し得る。
【００６９】
[0079]図３は、レイテンシ低減を伴うフレキシブルＴＤＤサブフレーム構造のためのサブフレーム構成３００の一例を示す。いくつかの場合には、サブフレーム構成３００は、図１〜図２を参照しながら説明されたようにＵＥ１１５または基地局１０５によって実行される技法の態様を表し得る。図３は、適応サブフレームとともに使用され得る、ＴＤＤ通信のために使用される様々なサブフレーム構成について説明する。
【００７０】
[0080]いくつかのワイヤレス通信システムは、ＴＤＤを使用する通信のために様々なフレーム構造を使用し得る。フレーム３０５−ａなど、各フレームは、サブフレーム３１０の異なる構成を有し得、ここで、各サブフレーム３１０は、ＤＬサブフレーム３１５、ＵＬサブフレーム３２０、またはスペシャルサブフレーム３２５として指定され得る。いくつかの場合には、サブフレーム構成は、フレーム３０５−ａの場合のように、ＵＬトラフィックに関連するより多くのサブフレームを含むか、フレーム３０５−ｂの場合のように、等しい数のＤＬサブフレーム３１５とＵＬサブフレーム３２０とを含み得るか、またはフレーム３０５−ｃの場合のように、ＤＬサブフレーム３２０を圧倒的に（predominantly）含み得る。各サブフレーム構成３００は異なる切替え周期性に関連し得る。
【００７１】
[0081]Ａサブフレーム構成３００はまた、フレーム３０５−ｄの場合のように、適応サブフレーム（たとえば、Ａサブフレーム３３０）を含み得る。Ａサブフレーム３３０の構造は、いくつかのレガシーワイヤレス通信システムにおけるサブフレーム構造に依存し得る。たとえば、Ａサブフレーム３３０内のシンボルはＤｗＰＴＳに関連し得、Ａサブフレーム中の最初の３つのシンボルはＤＬトラフィックに関連し得る。しかしながら、Ａサブフレーム３３０は、対応するＵＬサブフレーム、ＤＬサブフレーム、またはスペシャルサブフレームに基づいて異なる構造を有し得る。たとえば、Ａサブフレーム３３０は、それがＤＬサブフレーム３１５に対応するのか、ＵＬサブフレーム３２０に対応するのか、スペシャルサブフレーム３２５に対応するのか否かに基づいて、異なる構成を有し得る。いくつかの場合には、Ａサブフレーム３３０は、特定のＵＥ１１５の能力に基づいて、異なる構造を有し得る。
【００７２】
[0082]図４は、レイテンシ低減を伴うフレキシブルＴＤＤサブフレーム構造のためのサブフレーム構成４００の一例を示す。いくつかの場合には、サブフレーム構成４００は、図１〜図２を参照しながら説明されたようにＵＥ１１５または基地局１０５によって実行される技法の態様を表し得る。図４は、適応サブフレームを使用する、異なるＵＥ１１５のための複数のＵＥ固有サブフレーム構造について説明する。
【００７３】
[0083]異なるＵＥ１１５は、ＵＥ処理能力、チャネルおよび／または干渉状態、アップリンクタイミングアドバンス、ＤＬ／ＵＬトラフィックなどにより、異なる通信状態に関連し得る。その結果、フレーム４０５は、ＵＥ固有サブフレーム構造を有するＡサブフレーム４１０を含み得る。そのような場合、Ａサブフレーム４１０は、異なるＵＥ能力のために構成され得る。すなわち、Ａサブフレーム４１０内のＤＬ領域４２０−ａ、ＧＰ領域４３０、およびＵＬ領域４４０の区分は、特定のＵＥ１１５に固有のパラメータに基づき得る。
【００７４】
[0084]たとえば、第１のＡサブフレーム構造４３５−ａは第１のＵＥ１１５に関連し得、ここで、第１のＵＥ１１５は、低減された処理能力および／または大きいアップリンクタイミングアドバンスを有し得、より長いＧＰ領域４３０に関連し得る。第２のＡサブフレーム構造４３５−ｂは第２のＵＥ１１５に関連し得、ここで、第２のＵＥ１１５は、比較的より大きい処理能力および／または小さいアップリンクタイミングアドバンスを有し、より短いＧＰ領域４３０を使用し得る。第３のＡサブフレーム構造４３５−ｃは、いくつかの例では、同じサブフレーム中の同時ＤＬおよびＵＬデータ送信機会を可能にすることによる、より多くのＵＬデータ送信機会のための、および／または、改善されたＵＬバジェットのための、より長いＵＬ領域４４０と、第３のＵＥ１１５とに関連し得る。いくつかの場合には、異なるＵＥのためのスケジュールされた送信は重複し得る。しかしながら、適応サブフレーム構造が、異なる方向における同時送信を回避し得るように、遷移時間４４５が選択され得る。図示されていないが、ＧＰによって可能にされる（ＤＬからＵＬへの、およびその逆も同様の）切替えポイントの数は２以上（more than one）であり得、その場合、２つ以上のＧＰがあり得ることにも留意されたい。
【００７５】
[0085]いくつかの場合には、制御チャネル情報は、Ａサブフレーム４１０の第１のシンボル中に含まれ得る。たとえば、ＤＬ領域４２０−ｂは制御／データシンボル４５０を含み得、その後に（followed by）データシンボル４５５が続き、ここで、制御／データシンボル中でＰＤＣＣＨのためのサポートがあり得る。制御情報は、ＤＬ許可またはＵＬ許可のために別様に定義され得るサブフレーム構造を動的に示し得る（たとえば、ＤＬ許可は第１の構造を示し、ＵＬ許可は第２の構造を示す）。適応サブフレーム４１０は、ＰＤＣＣＨとｅＰＤＣＣＨの両方をサポートし得、ここで、ｅＰＤＣＣＨはＵＬ許可のためにのみサポートされ得る。
【００７６】
[0086]図５Ａは、レイテンシ低減を伴うフレキシブルＴＤＤサブフレーム構造のためのサブフレーム構成５００の一例を示す。いくつかの場合には、サブフレーム構成５００は、図１〜図２を参照しながら説明されたようにＵＥ１１５または基地局１０５によって実行される技法の態様を表し得る。図５Ａは、単一のＵＥ１１５と通信するときに複数の適応サブフレーム構造を使用することの一例について説明する。
【００７７】
[0087]サブフレーム構成５００では、ＵＥ１１５は、単一の適応サブフレーム内で２つまたはそれ以上の異なる構造を用いてスケジュールされ得る。たとえば、フレーム５０５は、ＵＥ１１５のための第１の構造５１５−ａと第２の構造５１５−ｂとを含むＡサブフレーム５１０を含み得る。第１の構造５１５−ａは、ＤＬ制御および／またはデータ領域５２０（たとえば、ＰＤＣＣＨおよび／またはＰＵＣＣＨ）とＵＬ制御領域５４０（たとえば、ＡＣＫ／ＮＡＣＫ）とを含み得る。第２の構造５１５−ｂは、ＤＬ制御領域５２５とＵＬデータ領域５４５とを含み得る。ＡＣＫ／ＮＡＣＫなど、ＵＣＩは、異なるシンボル中で開始し得、異なる持続時間に関連し得る。そのような場合、ＵＥ１１５はＤＬデータとＵＬデータの両方を有し得、ＰＤＳＣＨと、対応するＨＡＲＱ  ＡＣＫ／ＮＡＣＫ応答との間の処理時間は、ＵＬ許可からと、対応するＰＵＳＣＨとの間の処理時間よりも大きいことがある。ＵＬ／ＤＬ切替え、ＵＬタイミングアドバンスなどに適応するために、２つの構造とともに共通ＧＰ領域５５０が存在し得る。
【００７８】
[0088]図５Ｂは、レイテンシ低減を伴うフレキシブルＴＤＤサブフレーム構造のためのサブフレーム構成５０１の一例を示す。いくつかの場合には、サブフレーム構成５０１は、図１〜図２を参照しながら説明されたようにＵＥ１１５または基地局１０５によって実行される技法の態様を表し得る。図５Ｂは、ＵＥ１１５からのＨＡＲＱフィードバックが、サブフレーム中でＵＥ１１５のためのＵＬデータおよび他の制御情報よりも後に開始する、適応サブフレーム構造を使用することの一例を示す。
【００７９】
[0089]例として、フレーム５０５−ａは、ＵＥ１１５のための構造５１６を含むＡサブフレーム５１０−ａを含み得る。構造５１６は、ＡＣＫ／ＮＡＣＫ５２６を含み得る、ＵＬデータ／制御領域５２８と、ＤＬ制御および／またはデータ領域５２１（たとえば、ＰＤＣＣＨおよび／またはＰＤＳＣＨ）と、ガード期間５５１とを含み得る。いくつかの場合には、異なるＵＣＩは、サブフレーム構造５１６中で異なる開始シンボルを有し得る。たとえば、ＡＣＫ／ＮＡＣＫ５２６は、ＵＬデータ／制御領域５２８中で送信されるデータ、Ｐ−ＣＳＩ、またはＳＲとは異なる、サブフレーム５１０−ａでの（with）、シンボルにおいて開始し得る。上述のように、Ａ−ＣＳＩは、たとえば、ＣＳＩフィードバックに関連するより複雑な測定および準備により、ＰＵＳＣＨよりも後に開始し得る。いくつかの場合には、ＵＣＩの送信は、別個のＰＵＣＣＨ中にあり得るかまたはＰＵＳＣＨ上にピギーバックされ得る。したがって、ＰＵＣＣＨがＡＣＫ／ＮＡＣＫ５２６を搬送するために使用される場合、ＰＵＣＣＨは、ＰＵＳＣＨのシンボルとは異なるシンボルから開始し得る。
【００８０】
[0090]図６は、レイテンシ低減を伴うフレキシブルＴＤＤサブフレーム構造のための時分割多重化（ＴＤＭ）を採用するサブフレーム構成６００の一例を示す。いくつかの場合には、ＴＤＭを採用するサブフレーム構成６００は、図１〜図２を参照しながら説明されたようにＵＥ１１５または基地局１０５によって実行される技法の態様を表し得る。図６は、複数のＵＥ１１５との通信のためのＴＤＭのために使用されるサブフレーム構造について説明する。
【００８１】
[0091]いくつかの場合には、ＵＥ１１５を多重化するためにＴＤＭを使用するとき、Ａサブフレームが使用され得、ここで、各ＵＥ１１５は、異なるＧＰ持続時間に関連し得る。すなわち、各ＵＥ１１５によって経験されるガード持続時間（たとえば、ＧＰ領域６３０−ａ）は、ガード期間がどのシンボル中にスケジュールされるか（たとえば、所与のＵＥ１１５がガード期間を扱う様式影響によって（by affect the manner）、適応サブフレームのＤＬ領域６２０−ａ内にスケジュールされるのか、ＵＬ領域６４０−ａ内にスケジュールされるのか）に依存し得る。たとえば、フレーム６０５は、３つのＵＥ１１５のために多重化されるＡサブフレーム６１０を含み得る。各ＵＥ１１５は、ＤＬ領域６２０−ａ、ＧＰ領域６３０−ａ、およびＵＬ領域６４０−ａの異なる持続時間を含む、異なるサブフレーム構造（たとえば、サブフレーム構造６３５−ａ、６３５−ｂ、および６３５−ｃ）に関連し得る。
【００８２】
[0092]すなわち、Ａサブフレーム６１０は、サブフレーム構造６５５を使用して送信され得、ここで、各ＵＥのためのＤＬ領域６２０−ｂは、Ａサブフレーム６１０の始めの１つまたは複数のシンボルを占有する。同様に、各ＵＥのためのＵＬ領域６４０−ｂは、Ａサブフレーム６１０の終わりの１つまたは複数のシンボルを占有し得、ここで、ＤＬ領域６２０−ｂとＵＬ領域６４０−ｂとはＧＰ領域６３０−ｂによって分離され得る。いくつかの場合には、ＤＬ領域６２０−ｂまたはＵＬ領域６４０−ｂからのシンボルは、それらが別のＵＥ１１５による使用のためにスケジュールされた場合、ＧＰ領域６３０−ｂの一部ように見え得る（may appear to part of）。一例として、図６に示されているように、セルの観点からは１シンボルＧＰのみがあるにもかかわらず、ＵＥ３は、それのＤＬ送信の終了とそれのＵＬ送信の開始との間に７シンボルの有効ＧＰを有し得る。同様に、ＵＥ２は５シンボルの有効ＧＰを有し得、ＵＥ１は４シンボルの有効ＧＰを有し得る。異なるＵＥのための異なる有効ＧＰのそのような区別は、異なるＵＥに関連する（処理能力、アップリンクタイミングアドバンスなどの）異なる特性に対処するのを助け得る。たとえば、ＵＥ１は、小さいアップリンクタイミングアドバンスに関連するセル中心ＵＥであり得、したがって、小さい有効ＧＰ（この例では４シンボル）を許容することができる。反対に、ＵＥ３は、大きいアップリンクタイミングアドバンスに関連するセルエッジＵＥであり得、したがって、大きい有効ＧＰ（この例では７シンボル）を必要とする。
【００８３】
[0093]図７は、本開示の様々な態様による、レイテンシ低減を伴うフレキシブルＴＤＤサブフレーム構造のためのプロセスフロー７００の一例を示す。プロセスフロー７００は、図１〜図２を参照しながら説明された対応するデバイスの例であり得る、基地局１０５−ａとＵＥ１１５−ａとを含み得る。
【００８４】
[0094]ステップ７０５において、基地局１０５−ｂは、フレームの各サブフレームのためのサブフレーム構成オプションを定義するアップリンク／ダウンリンク構成を識別し得る。いくつかの場合には、サブフレーム構成オプションは、フレームの各サブフレームのためのアップリンクサブフレーム構成、ダウンリンクサブフレーム構成、またはスペシャルサブフレーム構成を含む。
【００８５】
[0095]ステップ７１０において、基地局１０５−ｂは、第１のアップリンク／ダウンリンク構成に基づいて、フレームのサブフレームのための制約を決定し得る。いくつかの場合には、制約は、サブフレームのためのアップリンク／ダウンリンク構成がダウンリンクサブフレーム構成であるとき、ＣＲＳ送信またはＭＢＭＳ送信に基づく。制約は、サブフレームのためのアップリンク／ダウンリンク構成がスペシャルサブフレーム構成であるとき、同期信号に基づき得る。
【００８６】
[0096]制約はまた、サブフレームのためのアップリンク／ダウンリンク構成がアップリンクサブフレーム構成であるとき、ＳＲＳ送信に基づき得る。いくつかの場合には、アップリンク／ダウンリンク構成は、システム情報、拡張干渉管理およびトラフィック適応（ｅＩＭＴＡ）指示、またはダウンリンクＨＡＲＱ基準構成のうちの少なくとも１つ、あるいはそれらの任意の組合せの受信に部分的に基づいて識別される。
【００８７】
[0097]ステップ７１５において、基地局１０５−ｂは、制約に基づいて、サブフレームのための適応サブフレーム構成を決定し得、ここで、適応サブフレーム構成は、少なくとも１つのダウンリンクシンボル期間と少なくとも１つのアップリンクシンボル期間とを含む。いくつかの場合には、適応サブフレーム構成は、ＵＥのセットに対応する２つまたはそれ以上のシンボルパーティションを含む。各シンボルパーティションは、ダウンリンク部分と、アップリンク部分と、ガード期間とを含み得、ここで、各パーティションのためのダウンリンク部分は、別のシンボルパーティションのアップリンク部分が開始する前に終了する。いくつかの場合には、各シンボルパーティションは、ＵＥのセットのうちの対応するＵＥのための、ダウンリンクデータに対するアップリンクデータの比率、アップリンクタイミングアドバンス、リンクバジェット、または、ＵＥ処理能力に基づく。
【００８８】
[0098]いくつかの場合には、適応サブフレーム構成は、ダウンリンク動作のためのシンボルパーティションの第１のセットと、アップリンク動作のためのシンボルパーティションの第２のセットとを含み得る。適応サブフレーム構成は、２つまたはそれ以上の異なる開始シンボルをも含み得、ここで、各開始シンボルは、あるタイプのアップリンク制御情報（ＵＣＩ）またはアップリンク共有データに関連する（associated with a type of uplink control information (UCI) or an uplink shared data）。いくつかの場合には、適応サブフレーム構成は、アップリンク制御チャネルおよびアップリンクデータチャネル、アップリンクデータ部分およびＨＡＲＱフィードバック部分、ならびに周波数分割多重化（ＦＤＭ）構成または時分割多重化（ＴＤＭ）構成、あるいはそれらの組合せを含む。いくつかの例では、適応サブフレーム構成のダウンリンク部分は、少なくとも１つの制御チャネルシンボル期間と少なくとも１つのデータチャネルシンボル期間とを含む。いくつかの場合には、ダウンリンク許可は適応サブフレーム構成の第１の構造を示し、アップリンク許可は適応サブフレーム構成第２の構造を示す。
【００８９】
[0099]いくつかの場合には、適応サブフレーム構成は基準信号構成を含み、ここで、基準信号構成の各基準信号は、サブフレーム始めに実質的に位置する。基準信号構成はチャネル状態情報基準信号（ＣＳＩ−ＲＳ）構成を含み得、ここで、ＣＳＩ−ＲＳ構成は動的にまたは半静的に示される。基準信号構成はＣＳＩフィードバック構成をも含み得、ここで、ＣＳＩフィードバック構成は、フレームのダウンリンクサブフレームに関連するダウンリンクＣＳＩフィードバック構成とは別個である。
【００９０】
[0100]いくつかの例では、適応サブフレーム構成は、ダウンリンク動作またはアップリンク動作のうちの少なくとも１つのためのＴＢＳスケーリングパラメータに関連し、ここで、ＴＢＳスケーリングパラメータは、適応サブフレーム構成に基づいて決定される。適応サブフレーム構成は、フレームのダウンリンクサブフレーム、スペシャルサブフレーム、またはアップリンクサブフレームに関連するＨＡＲＱプロセスのセットとは異なるＨＡＲＱプロセスに関連し得、ここで、適応サブフレーム構成のＨＡＲＱプロセスは単一サブフレームＨＡＲＱプロセスを含む。
【００９１】
[0101]いくつかの例では、適応サブフレーム構成は、アップリンク／ダウンリンク構成に関連するソフトバッファの第２の部分とは異なるソフトバッファの第１の部分に関連し、ここで、適応サブフレーム構成は、アップリンク／ダウンリンク構成と同じソフトバッファに関連し得る。いくつかの場合には、基地局１０５−ｂは、フレームの別のサブフレームに関する適応サブフレーム構成のための干渉統計値をワイヤレスネットワークの別の基地局１０５と交換し得る。
【００９２】
[0102]ステップ７２０において、基地局１０５−ｂは、適応サブフレーム構成に従ってサブフレーム中にＵＥ１１５−ｄと通信し得る。いくつかの例では、基地局１０５−ｂは、適応サブフレーム構成の指示を１つまたは複数のＵＥ１１５に送信し得る。ＵＥ１１５−ｄは、基地局１０５−ｂから適応サブフレーム構成の指示を受信し得、ここで、適応サブフレーム構成決定はその指示に基づく。
【００９３】
[0103]図８は、本開示の様々な態様による、レイテンシ低減を伴うフレキシブルＴＤＤサブフレーム構造をサポートするワイヤレスデバイス８００のブロック図を示す。ワイヤレスデバイス８００は、図１および図２を参照しながら説明されたＵＥ１１５または基地局１０５の態様の一例であり得る。ワイヤレスデバイス８００は、受信機８０５と、適応サブフレームマネージャ８１０と、送信機８１５とを含み得る。ワイヤレスデバイス８００はプロセッサをも含み得る。これらの構成要素の各々は互いと通信していることがある。
【００９４】
[0104]受信機８０５は、パケット、ユーザデータ、または様々な情報チャネルに関連する制御情報（たとえば、制御チャネル、データチャネル、およびレイテンシ低減を伴うフレキシブルＴＤＤサブフレーム構造に関係する情報など）などの情報を受信し得る。情報は、デバイスの他の構成要素に受け渡され得る。受信機８０５は、図１１を参照しながら説明されるトランシーバ１１２５の態様の一例であり得る。
【００９５】
[0105]適応サブフレームマネージャ８１０は、フレームの各サブフレームのためのサブフレーム構成オプションを定義する第１のアップリンク／ダウンリンク構成を識別することと、第１のアップリンク／ダウンリンク構成に基づいて、フレームのサブフレームのための制約を決定することと、制約に基づいて、サブフレームのための適応サブフレーム構成を決定することと、ここで、適応サブフレーム構成は、少なくとも１つのダウンリンクシンボル期間と少なくとも１つのアップリンクシンボル期間とを含む、適応サブフレーム構成に従ってサブフレーム中に通信することとを行い得る。適応サブフレームマネージャ８１０は、図１１を参照しながら説明される適応サブフレームマネージャ１１０５の態様の一例でもあり得る。
【００９６】
[0106]送信機８１５は、ワイヤレスデバイス８００の他の構成要素から受信された信号を送信し得る。いくつかの例では、送信機８１５は、トランシーバモジュール中で受信機とコロケートされ得る。たとえば、送信機８１５は、図１１を参照しながら説明されるトランシーバ１１２５の態様の一例であり得る。送信機８１５は単一のアンテナを含み得るか、またはそれは複数のアンテナを含み得る。
【００９７】
[0107]図９は、本開示の様々な態様による、レイテンシ低減を伴うフレキシブルＴＤＤサブフレーム構造をサポートするワイヤレスデバイス９００のブロック図を示す。ワイヤレスデバイス９００は、図１、図２、および図８を参照しながら説明されたワイヤレスデバイス８００またはＵＥ１１５または基地局１０５の態様の一例であり得る。ワイヤレスデバイス９００は、受信機９０５と、適応サブフレームマネージャ９１０と、送信機９３５とを含み得る。ワイヤレスデバイス９００はプロセッサをも含み得る。これらの構成要素の各々は互いと通信していることがある。
【００９８】
[0108]受信機９０５は、デバイスの他の構成要素に受け渡され得る情報を受信し得る。受信機９０５はまた、図８の受信機８０５を参照しながら説明された機能を実行し得る。受信機９０５は、図１１を参照しながら説明されるトランシーバ１１２５の態様の一例であり得る。
【００９９】
[0109]適応サブフレームマネージャ９１０は、図８を参照しながら説明された適応サブフレームマネージャ８１０の態様の一例であり得る。適応サブフレームマネージャ９１０は、アップリンク／ダウンリンク構成構成要素９１５と、制約決定構成要素９２０と、適応サブフレーム構成要素９２５と、適応通信構成要素９３０とを含み得る。適応サブフレームマネージャ９１０は、図１１を参照しながら説明される適応サブフレームマネージャ１１０５の態様の一例であり得る。
【０１００】
[0110]アップリンク／ダウンリンク構成構成要素９１５は、フレームの各サブフレームのためのサブフレーム構成オプションを定義する第１のアップリンク／ダウンリンク構成を識別し得る。いくつかの場合には、アップリンク／ダウンリンク構成は、システム情報、拡張干渉管理およびトラフィック適応（ｅＩＭＴＡ）指示、またはダウンリンクハイブリッド自動再送要求基準構成のうちの少なくとも１つ、あるいはそれらの任意の組合せの受信に部分的に基づいて識別され得る。いくつかの場合には、サブフレーム構成オプションは、フレームの各サブフレームのためのアップリンクサブフレーム構成、ダウンリンクサブフレーム構成、またはスペシャルサブフレーム構成を含む。
【０１０１】
[0111]制約決定構成要素９２０は、第１のアップリンク／ダウンリンク構成に基づいて、フレームのサブフレームのための制約を決定し得る。いくつかの場合には、制約は、サブフレームのためのアップリンク／ダウンリンク構成がダウンリンクサブフレーム構成であるとき、セル固有基準信号送信またはマルチメディアブロードキャストマルチキャストサービス送信に基づく。いくつかの場合には、制約は、サブフレームのためのアップリンク／ダウンリンク構成がスペシャルサブフレーム構成であるとき、同期信号に基づく。いくつかの場合には、制約は、サブフレームのためのアップリンク／ダウンリンク構成がアップリンクサブフレーム構成であるとき、サウンディング基準信号送信に基づく。
【０１０２】
[0112]適応サブフレーム構成要素９２５は、制約に基づいて、サブフレームのための適応サブフレーム構成を決定し得、ここで、適応サブフレーム構成は、少なくとも１つのダウンリンクシンボル期間と少なくとも１つのアップリンクシンボル期間とを含む。いくつかの場合には、適応サブフレーム構成は、ＵＥのセットに対応する２つまたはそれ以上のシンボルパーティションを含む。いくつかの場合には、各シンボルパーティションは、ダウンリンク部分と、アップリンク部分と、ガード期間とを含み、ここで、各パーティションのためのダウンリンク部分は、別のシンボルパーティションのアップリンク部分が開始する前に終了する。
【０１０３】
[0113]いくつかの場合には、各シンボルパーティションは、ＵＥのセットのうちの対応するユーザ機器のためのＵＥ処理能力、リンクバジェット、アップリンクタイミングアドバンス、またはダウンリンクデータに対するアップリンクデータの比率に基づく。いくつかの場合には、適応サブフレーム構成は、ダウンリンク動作のためのシンボルパーティションの第１のセットと、アップリンク動作のためのシンボルパーティションの第２のセットとを含む。いくつかの場合には、適応サブフレーム構成は、２つまたはそれ以上の異なる開始シンボルを含み、ここで、各開始シンボルは、あるタイプのアップリンク制御情報（ＵＣＩ）またはアップリンク共有データに関連する。
【０１０４】
[0114]いくつかの場合には、適応サブフレーム構成は、アップリンク制御チャネルとアップリンクデータチャネルとを含む。いくつかの場合には、適応サブフレーム構成は、アップリンクデータ部分とハイブリッド自動再送要求フィードバック部分とを含む。いくつかの場合には、適応サブフレーム構成は、周波数分割多重化構成または時分割多重化構成、あるいはそれらの組合せを含む。いくつかの場合には、適応サブフレーム構成のダウンリンク部分は、少なくとも１つの制御チャネルシンボル期間と少なくとも１つのデータチャネルシンボル期間とを含む。
【０１０５】
[0115]いくつかの場合には、ダウンリンク許可は適応サブフレーム構成の第１の構造を示し、アップリンク許可は適応サブフレーム構成第２の構造を示す。いくつかの場合には、適応サブフレーム構成は、ダウンリンク動作またはアップリンク動作のうちの少なくとも１つのためのＴＢＳスケーリングパラメータに関連し、ここで、ＴＢＳスケーリングパラメータは、適応サブフレーム構成に基づいて決定される。いくつかの場合には、適応サブフレーム構成は、アップリンク／ダウンリンク構成に関連するソフトバッファの第２の部分とは異なるソフトバッファの第１の部分に関連する。いくつかの場合には、適応サブフレーム構成は、アップリンク／ダウンリンク構成と同じソフトバッファに関連する。
【０１０６】
[0116]適応通信構成要素９３０は、適応サブフレーム構成に従ってサブフレーム中に通信し得る。
【０１０７】
[0117]送信機９３５は、ワイヤレスデバイス９００の他の構成要素から受信された信号を送信し得る。いくつかの例では、送信機９３５は、トランシーバモジュール中で受信機とコロケートされ得る。たとえば、送信機９３５は、図１１を参照しながら説明されるトランシーバ１１２５の態様の一例であり得る。送信機９３５は単一のアンテナを利用し得るか、またはそれは複数のアンテナを利用し得る。
【０１０８】
[0118]図１０は、ワイヤレスデバイス８００またはワイヤレスデバイス９００の対応する構成要素の一例であり得る適応サブフレームマネージャ１０００のブロック図を示す。すなわち、適応サブフレームマネージャ１０００は、図８および図９を参照しながら説明された適応サブフレームマネージャ８１０または適応サブフレームマネージャ９１０の態様の一例であり得る。適応サブフレームマネージャ１０００は、図１１を参照しながら説明される適応サブフレームマネージャ１１０５の態様の一例でもあり得る。
【０１０９】
[0119]適応サブフレームマネージャ１０００は、アップリンク／ダウンリンク構成構成要素１００５と、制約決定構成要素１０１０と、適応サブフレーム構成要素１０１５と、適応通信構成要素１０２０と、適応サブフレーム指示構成要素１０２５と、統計交換構成要素１０３０と、基準信号構成要素１０３５と、ＨＡＲＱ構成要素１０４０とを含み得る。これらのモジュールの各々は、直接または間接的に、（たとえば、１つまたは複数のバスを介して）互いと通信し得る。
【０１１０】
[0120]アップリンク／ダウンリンク構成構成要素１００５は、フレームの各サブフレームのためのサブフレーム構成オプションを定義する第１のアップリンク／ダウンリンク構成を識別し得る。制約決定構成要素１０１０は、第１のアップリンク／ダウンリンク構成に基づいて、フレームのサブフレームのための制約を決定し得る。適応サブフレーム構成要素１０１５は、制約に基づいて、サブフレームのための適応サブフレーム構成を決定し得、ここで、適応サブフレーム構成は、少なくとも１つのダウンリンクシンボル期間と少なくとも１つのアップリンクシンボル期間とを含む。適応通信構成要素１０２０は、適応サブフレーム構成に従ってサブフレーム中に通信し得る。
【０１１１】
[0121]適応サブフレーム指示構成要素１０２５は、適応サブフレーム構成の指示を１つまたは複数のＵＥに送信（または受信）し得る。指示が（たとえば、基地局１０５からＵＥ１１５によって）受信されたとき、適応サブフレーム構成決定はその指示に基づく。
【０１１２】
[0122]統計交換構成要素１０３０は、フレームの別のサブフレームに関する適応サブフレーム構成のための干渉統計値をワイヤレスネットワークの別の基地局と交換し得る。
【０１１３】
[0123]基準信号構成要素１０３５は、適応サブフレーム構成が基準信号構成を含むように構成され得、ここで、基準信号構成の各基準信号は、サブフレーム始めに実質的に位置する。いくつかの場合には、基準信号構成はチャネル状態情報基準信号（ＣＳＩ−ＲＳ）構成を含み、ここで、ＣＳＩ−ＲＳ構成は動的にまたは半静的に示される。いくつかの場合には、基準信号構成はチャネル状態情報フィードバック構成を含み、ここで、チャネル状態情報フィードバック構成は、フレームのダウンリンクサブフレームに関連するダウンリンクチャネル状態情報フィードバック構成とは別個である。
【０１１４】
[0124]ＨＡＲＱ構成要素１０４０は、適応サブフレーム構成が、フレームのダウンリンクサブフレーム、スペシャルサブフレーム、またはアップリンクサブフレームに関連するハイブリッド自動再送要求プロセスのセットとは異なるハイブリッド自動再送要求プロセスに関連するように、構成され得る。いくつかの場合には、適応サブフレーム構成のハイブリッド自動再送要求プロセスは単一サブフレームハイブリッド自動再送要求プロセスを含む。
【０１１５】
[0125]図１１は、本開示の様々な態様による、レイテンシ低減を伴うフレキシブルＴＤＤサブフレーム構造をサポートするデバイスを含むシステム１１００の図を示す。たとえば、システム１１００は、図１、図２および図８〜図１０を参照しながら説明されたように、ワイヤレスデバイス８００、ワイヤレスデバイス９００、またはＵＥ１１５の一例であり得る、ＵＥ１１５−ｅを含み得る。
【０１１６】
[0126]ＵＥ１１５−ｅはまた、適応サブフレームマネージャ１１０５と、プロセッサ１１１０と、メモリ１１１５と、トランシーバ１１２５と、アンテナ１１３０と、ＥＣＣモジュール１１３５とを含み得る。これらのモジュールの各々は、直接または間接的に、（たとえば、１つまたは複数のバスを介して）互いと通信し得る。適応サブフレームマネージャ１１０５は、図８〜図１０を参照しながら説明されたように、適応サブフレームマネージャの一例であり得る。
【０１１７】
[0127]プロセッサ１１１０は、インテリジェントハードウェアデバイス、（たとえば、中央処理ユニット（ＣＰＵ）、マイクロコントローラ、特定用途向け集積回路（ＡＳＩＣ）など）を含み得るメモリ１１１５は、ランダムアクセスメモリ（ＲＡＭ）および読取り専用メモリ（ＲＯＭ）を含み得る。メモリ１１１５は、実行されたとき、プロセッサに本明細書で説明される様々な機能（たとえば、レイテンシ低減を伴うフレキシブルＴＤＤサブフレーム構造など）を実行させる命令を含むコンピュータ可読、コンピュータ実行可能ソフトウェアを記憶し得る。いくつかの場合には、ソフトウェア１１２０は、プロセッサによって直接的に実行可能でないことがあるが、（たとえば、コンパイルされ実行されたとき）コンピュータに本明細書で説明される機能を実行させ得る。
【０１１８】
[0128]トランシーバ１１２５は、上記で説明されたように、１つまたは複数のアンテナ、ワイヤードリンク、またはワイヤレスリンクを介して、１つまたは複数のネットワークと双方向に通信し得る。たとえば、トランシーバ１１２５は、基地局１０５またはＵＥ１１５と双方向に通信し得る。トランシーバ１１２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１１３０を含み得る。しかしながら、いくつかの場合には、デバイスは、複数のワイヤレス送信をコンカレントに送信または受信することが可能であり得る２つ以上のアンテナ１１３０を有し得る。
【０１１９】
[0129]ＥＣＣモジュール１１３５は、共有または無認可スペクトルを使用する通信、低減されたＴＴＩまたはサブフレーム持続時間を使用する通信、あるいは多数のコンポーネントキャリア（ＣＣ）を使用する通信など、ｅＣＣを使用する動作を可能にし得る。
【０１２０】
[0130]図１２は、本開示の様々な態様による、レイテンシ低減を伴うフレキシブルＴＤＤサブフレーム構造をサポートする構成されたデバイスを含むワイヤレスシステム１２００の図を示す。たとえば、システム１２００は、図１、図２および図８〜図１０を参照しながら説明されたように、ワイヤレスデバイス８００、ワイヤレスデバイス９００、または基地局１０５の一例であり得る、基地局１０５−ｄを含み得る。基地局１０５−ｄは、通信を送信するための構成要素と通信を受信するための構成要素とを含む、双方向音声およびデータ通信のための構成要素をも含み得る。たとえば、基地局１０５−ｄは、１つまたは複数のＵＥ１１５と双方向に通信し得る。
【０１２１】
[0131]基地局１０５−ｄは、適応サブフレームマネージャ１２０５と、プロセッサ１２１０と、メモリ１２１５と、トランシーバ１２２５と、アンテナ１２３０と、基地局通信モジュール１２３５と、ネットワーク通信モジュール１２４０とをも含み得る。これらのモジュールの各々は、直接または間接的に、（たとえば、１つまたは複数のバスを介して）互いと通信し得る。適応サブフレームマネージャ１２０５は、図８〜図１０を参照しながら説明されたように、適応サブフレームマネージャの一例であり得る。
【０１２２】
[0132]プロセッサ１２１０は、インテリジェントハードウェアデバイス、（たとえば、ＣＰＵ、マイクロコントローラ、ＡＳＩＣなど）を含み得るメモリ１２１５はＲＡＭおよびＲＯＭを含み得る。メモリ１２１５は、実行されたとき、プロセッサに本明細書で説明される様々な機能（たとえば、レイテンシ低減を伴うフレキシブルＴＤＤサブフレーム構造など）を実行させる命令を含むコンピュータ可読、コンピュータ実行可能ソフトウェアを記憶し得る。いくつかの場合には、ソフトウェア１２２０は、プロセッサによって直接的に実行可能でないことがあるが、（たとえば、コンパイルされ実行されたとき）コンピュータに本明細書で説明される機能を実行させ得る。
【０１２３】
[0133]トランシーバ１２２５は、上記で説明されたように、１つまたは複数のアンテナ、ワイヤードリンク、またはワイヤレスリンクを介して、１つまたは複数のネットワークと双方向に通信し得る。たとえば、トランシーバ１２２５は、基地局１０５またはＵＥ１１５と双方向に通信し得る。トランシーバ１２２５はまた、パケットを変調し、変調されたパケットを送信のためにアンテナに与えるための、およびアンテナから受信されたパケットを復調するためのモデムを含み得る。いくつかの場合には、ワイヤレスデバイスは単一のアンテナ１２３０を含み得る。しかしながら、いくつかの場合には、デバイスは、複数のワイヤレス送信をコンカレントに送信または受信することが可能であり得る２つ以上のアンテナ１１３０を有し得る。
【０１２４】
[0134]基地局通信モジュール１２３５は、他の基地局１０５との通信を管理し得、他の基地局１０５と協働してＵＥ１１５との通信を制御するためのコントローラまたはスケジューラを含み得る。たとえば、基地局通信モジュール１２３５は、ビームフォーミングまたはジョイント送信などの様々な干渉緩和技法のためのＵＥ１１５への送信のためのスケジューリングを協調させ得る。いくつかの例では、基地局通信モジュール１２３５は、基地局１０５間の通信を行うために、ＬＴＥ／ＬＴＥ−Ａワイヤレス通信ネットワーク技術内のＸ２インターフェースを与え得る。
【０１２５】
[0135]ネットワーク通信モジュール１２４０は、（たとえば、１つまたは複数のワイヤードバックホールリンクを介して）コアネットワークとの通信を管理し得る。たとえば、ネットワーク通信モジュール１２４０は、１つまたは複数のＵＥ１１５など、クライアントデバイスのためのデータ通信の転送を管理し得る。
【０１２６】
[0136]図１３は、本開示の様々な態様による、レイテンシ低減を伴うフレキシブルＴＤＤサブフレーム構造のための方法１３００を示すフローチャートを示す。方法１３００の動作は、図１および図２を参照しながら説明されたように、ＵＥ１１５または基地局１０５あるいはそれの構成要素によって実装され得る。たとえば、方法１３００の動作は、本明細書で説明されるように、適応サブフレームマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１２７】
[0137]ブロック１３０５において、ＵＥ１１５または基地局１０５は、図２〜図７を参照しながら上記で説明されたように、フレームの各サブフレームのためのサブフレーム構成オプションを定義するＵＬ／ＤＬ構成を識別し得る。いくつかの例では、ブロック１３０５の動作は、図９および図１０を参照しながら説明されたように、アップリンク／ダウンリンク構成構成要素によって実行され得る。
【０１２８】
[0138]ブロック１３１０において、ＵＥ１１５または基地局１０５は、図２〜図７を参照しながら上記で説明されたように、ＵＬ／ＤＬ構成に基づいて、フレームのサブフレームのための制約を決定し得る。いくつかの例では、ブロック１３１０の動作は、図９および図１０を参照しながら説明されたように、制約決定構成要素によって実行され得る。
【０１２９】
[0139]ブロック１３１５において、ＵＥ１１５または基地局１０５は、図２〜図７を参照しながら上記で説明されたように、制約に基づいて、サブフレームのための適応サブフレーム構成を決定し、ここで、適応サブフレーム構成は、少なくとも１つのＤＬシンボル期間と少なくとも１つのＵＬシンボル期間とを含む。いくつかの例では、ブロック１３１５の動作は、図９および図１０を参照しながら説明されたように、適応サブフレーム構成要素によって実行され得る。
【０１３０】
[0140]ブロック１３２０において、ＵＥ１１５または基地局１０５は、図２〜図７を参照しながら上記で説明されたように、適応サブフレーム構成に従ってサブフレーム中に通信し得る。いくつかの例では、ブロック１３２０の動作は、図９および図１０を参照しながら説明されたように、適応通信構成要素によって実行され得る。
【０１３１】
[0141]図１４は、本開示の様々な態様による、レイテンシ低減を伴うフレキシブルＴＤＤサブフレーム構造のための方法１４００を示すフローチャートを示す。方法１４００の動作は、図１および図２を参照しながら説明されたように、ＵＥ１１５または基地局１０５あるいはそれの構成要素によって実装され得る。たとえば、方法１４００の動作は、本明細書で説明されるように、適応サブフレームマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１３２】
[0142]ブロック１４０５において、ＵＥ１１５または基地局１０５は、図２〜図７を参照しながら上記で説明されたように、フレームの各サブフレームのためのサブフレーム構成オプションを定義するＵＬ／ＤＬ構成を識別する。いくつかの例では、ブロック１４０５の動作は、図９および図１０を参照しながら説明されたように、アップリンク／ダウンリンク構成構成要素によって実行され得る。
【０１３３】
[0143]ブロック１４１０において、ＵＥ１１５または基地局１０５は、図２〜図７を参照しながら上記で説明されたように、ＵＬ／ＤＬ構成に基づいて、フレームのサブフレームのための制約を決定し得る。いくつかの例では、ブロック１４１０の動作は、図９および図１０を参照しながら説明されたように、制約決定構成要素によって実行され得る。
【０１３４】
[0144]ブロック１４１５において、ＵＥ１１５または基地局１０５は、図２〜図７を参照しながら上記で説明されたように、制約に基づいて、サブフレームのための適応サブフレーム構成を決定し、ここで、適応サブフレーム構成は、少なくとも１つのＤＬシンボル期間と少なくとも１つのＵＬシンボル期間とを含む。いくつかの例では、ブロック１４１５の動作は、図９および図１０を参照しながら説明されたように、適応サブフレーム構成要素によって実行され得る。
【０１３５】
[0145]ブロック１４２０において、ＵＥ１１５または基地局１０５は、図２〜図７を参照しながら上記で説明されたように、適応サブフレーム構成の指示を１つまたは複数のＵＥに送信し得る。いくつかの例では、ブロック１４２０の動作は、図９および図１０を参照しながら説明されたように、適応サブフレーム指示構成要素によって実行され得る。
【０１３６】
[0146]ブロック１４２５において、ＵＥ１１５または基地局１０５は、図２〜図７を参照しながら上記で説明されたように、適応サブフレーム構成に従ってサブフレーム中に通信し得る。いくつかの例では、ブロック１４２５の動作は、図９および図１０を参照しながら説明されたように、適応通信構成要素によって実行され得る。
【０１３７】
[0147]図１５は、本開示の様々な態様による、レイテンシ低減を伴うフレキシブルＴＤＤサブフレーム構造のための方法１５００を示すフローチャートを示す。方法１５００の動作は、図１および図２を参照しながら説明されたように、ＵＥ１１５または基地局１０５あるいはそれの構成要素によって実装され得る。たとえば、方法１５００の動作は、本明細書で説明されるように、適応サブフレームマネージャによって実行され得る。いくつかの例では、ＵＥ１１５または基地局１０５は、以下で説明される機能を実行するようにデバイスの機能要素を制御するためのコードのセットを実行し得る。追加または代替として、ＵＥ１１５または基地局１０５は、専用ハードウェアを使用して、以下で説明される機能の態様を実行し得る。
【０１３８】
[0148]ブロック１５０５において、ＵＥ１１５または基地局１０５は、図２〜図７を参照しながら上記で説明されたように、フレームの各サブフレームのためのサブフレーム構成オプションを定義するＵＬ／ＤＬ構成を識別し得る。いくつかの例では、ブロック１５０５の動作は、図９および図１０を参照しながら説明されたように、アップリンク／ダウンリンク構成構成要素によって実行され得る。
【０１３９】
[0149]ブロック１５１０において、ＵＥ１１５または基地局１０５は、図２〜図７を参照しながら上記で説明されたように、ＵＬ／ＤＬ構成に基づいて、フレームのサブフレームのための制約を決定し得る。いくつかの例では、ブロック１５１０の動作は、図９および図１０を参照しながら説明されたように、制約決定構成要素によって実行され得る。
【０１４０】
[0150]ブロック１５１５において、ＵＥ１１５または基地局１０５は、図２〜図７を参照しながら上記で説明されたように、基地局から適応サブフレーム構成の指示を受信し、ここで、適応サブフレーム構成決定はその指示に基づく。いくつかの例では、ブロック１５１５の動作は、図９および図１０を参照しながら説明されたように、適応サブフレーム指示構成要素によって実行され得る。
【０１４１】
[0151]ブロック１５２０において、ＵＥ１１５または基地局１０５は、図２〜図７を参照しながら上記で説明されたように、制約（および／または指示）に基づいて、サブフレームのための適応サブフレーム構成を決定し、ここで、適応サブフレーム構成は、少なくとも１つのＤＬシンボル期間と少なくとも１つのＵＬシンボル期間とを含む。いくつかの例では、ブロック１５２０の動作は、図９および図１０を参照しながら説明されたように、適応サブフレーム構成要素によって実行され得る。
【０１４２】
[0152]ブロック１５２５において、ＵＥ１１５または基地局１０５は、図２〜図７を参照しながら上記で説明されたように、適応サブフレーム構成に従ってサブフレーム中に通信し得る。いくつかの例では、ブロック１５２５の動作は、図９および図１０を参照しながら説明されたように、適応通信構成要素によって実行され得る。
【０１４３】
[0153]これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。たとえば、方法の各々の態様は、他の方法のステップまたは態様、あるいは本明細書で説明される他のステップまたは技法を含み得る。したがって、本開示の態様は、レイテンシ低減を伴うフレキシブルＴＤＤサブフレーム構造を提供し得る。
【０１４４】
[0154]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
【０１４５】
[0155]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「１つまたは複数の」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１４６】
[0156]「当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」、「構成要素」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【０１４７】
[0157]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１４８】
[0158]本明細書で説明される技法は、ＣＤＭＡ、ＴＤＭＡ、ＦＤＭＡ（ＦＤＭＡ）、ＯＦＤＭＡ（ＯＦＤＭＡ）、シングルキャリア周波数分割多元接続（ＳＣ−ＦＤＭＡ）、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００
１Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、（モバイル通信用グローバルシステム（ＧＳＭ（登録商標）：Global System for Mobile communications））などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（ワイヤレスフィデリティ（Ｗｉ−Ｆｉ（登録商標）））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ユニバーサルモバイルテレコミュニケーションズシステム（ＵＭＴＳ：Universal Mobile Telecommunication System））の一部である。３ＧＰＰ（登録商標）  ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１４９】
[0159]本明細書で説明されたネットワークを含む、ＬＴＥ／ＬＴＥ−Ａネットワークでは、発展型ノードＢ（ｅＮＢ）という用語は、概して、基地局を表すために使用され得る。本明細書で説明された１つまたは複数のワイヤレス通信システムは、異なるタイプのｅＮＢが様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア（ＣＣ）、あるいはキャリアまたは基地局のカバレージエリア（たとえば、セクタなど）を表すために使用され得る３ＧＰＰ用語である。
【０１５０】
[0160]基地局は、基地トランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分のみを構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１５１】
[0161]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、ＣＣ）をサポートし得る。ＵＥは、マクロｅＮＢ、スモールセルｅＮＢ、リレー基地局などを含む、様々なタイプの基地局およびネットワーク機器と通信することが可能であり得る。
【０１５２】
[0162]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１５３】
[0163]本明細書で説明されたＤＬ送信は順方向リンク送信と呼ばれることもあり、ＵＬ送信は逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、ＦＤＤ動作を使用して（たとえば、対スペクトルリソースを使用して）またはＴＤＤ動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【０１５４】
[0164]したがって、本開示の態様は、レイテンシ低減を伴うフレキシブルＴＤＤサブフレーム構造を提供し得る。これらの方法は可能な実装形態を表すこと、ならびに動作およびステップは、他の実装形態が可能であるように、並べ替えられるかまたは場合によっては変更され得ることに留意されたい。いくつかの例では、方法のうちの２つまたはそれ以上からの態様が組み合わせられ得る。
【０１５５】
[0165]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明される機能は、１つまたは複数の他の処理ユニット（またはコア）によって、少なくとも１つのＩＣ上で実行され得る。様々な例では、当技術分野で知られている任意の様式でプログラムされ得る、異なるタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０１５６】
[0166]添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図１】
2020167713.tif 000004
【図２】
2020167713.tif 000005
【図３】
2020167713.tif 000006
【図４】
2020167713.tif 000007
【図５Ａ】
2020167713.tif 000008
【図５Ｂ】
2020167713.tif 000009
【図６】
2020167713.tif 000010
【図７】
2020167713.tif 000011
【図８】
2020167713.tif 000012
【図９】
2020167713.tif 000013
【図１０】
2020167713.tif 000014
【図１１】
2020167713.tif 000015
【図１２】
2020167713.tif 000016
【図１３】
2020167713.tif 000017
【図１４】
2020167713.tif 000018
【図１５】
2020167713.tif 000019
【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
ユーザ機器によるワイヤレス通信の方法であって、
基地局から、フレームのサブフレームのための最初のアップリンク／ダウンリンク（ＵＬ／ＤＬ）構成への変更を示す指示を受信することと、ここにおいて、前記最初のＵＬ／ＤＬ構成は前記フレームの各サブフレームのための最初のサブフレーム構成オプションを定義し、前記最初のサブフレーム構成オプションはＵＬサブフレーム構成、ＤＬサブフレーム構成、またはスペシャルサブフレーム構成を備える、
前記指示に少なくとも部分的に基づいて、前記フレームの前記サブフレームのための適応サブフレーム構成を決定することと、ここにおいて、前記適応サブフレーム構成は、前記サブフレームのための前記最初のサブフレーム構成オプションが前記ＵＬサブフレーム構成、前記ＤＬサブフレーム構成、または前記スペシャルサブフレーム構成であるかどうかに関わらず、少なくとも１つのダウンリンク（ＤＬ）シンボル期間と少なくとも１つのアップリンク（ＵＬ）シンボル期間とを備え、前記少なくとも１つのＤＬシンボル期間と前記少なくとも１つのＵＬシンボル期間は前記サブフレームのための前記最初のサブフレーム構成オプションに少なくとも部分的に基づく、
前記適応サブフレーム構成に従って前記サブフレーム中に通信することと
を備える方法。
【請求項２】
前記最初のＵＬ／ＤＬ構成は、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づく、請求項１に記載の方法。
【請求項３】
前記適応サブフレーム構成は、ＤＬ動作のためのシンボルパーティションの第１のセットと、ＵＬ動作のためのシンボルパーティションの第２のセットとを備える、請求項１に記載の方法。
【請求項４】
前記適応サブフレーム構成は、２つまたはそれ以上の異なる開始シンボルを備え、ここにおいて、各開始シンボルは、あるタイプのＵＬ制御情報（ＵＣＩ）またはＵＬ共有データに関連する、請求項１に記載の方法。
【請求項５】
前記適応サブフレーム構成は、ＵＬ制御チャネルとＵＬデータチャネルとを備える、請求項１に記載の方法。
【請求項６】
前記適応サブフレーム構成は、ＵＬデータ部分とハイブリッド自動再送要求（ＨＡＲＱ）フィードバック部分とを備える、請求項１に記載の方法。
【請求項７】
前記適応サブフレーム構成は、周波数分割多重化（ＦＤＭ）構成または時分割多重化（ＴＤＭ）構成、あるいはそれらの組合せを備える、請求項１に記載の方法。
【請求項８】
前記適応サブフレーム構成のＤＬ部分は、少なくとも１つの制御チャネルシンボル期間と少なくとも１つのデータチャネルシンボル期間とを備える、請求項１に記載の方法。
【請求項９】
前記指示は前記適応サブフレーム構成の第１の構造を示すＤＬ許可に関連し、ＵＬ許可が前記適応サブフレーム構成第２の構造を示す、請求項１に記載の方法。
【請求項１０】
前記適応サブフレーム構成は基準信号構成を備え、ここにおいて、前記基準信号構成の各基準信号が、前記サブフレームの最初のスロットのシンボル期間にそれぞれ対応する、請求項１に記載の方法。
【請求項１１】
前記基準信号構成はチャネル状態情報基準信号（ＣＳＩ−ＲＳ）構成を備え、ここにおいて、前記ＣＳＩ−ＲＳ構成は動的にまたは半静的に示される、請求項１０に記載の方法。
【請求項１２】
前記適応サブフレーム構成は、ＤＬ動作またはＵＬ動作のうちの少なくとも１つのためのトランスポートブロックサイズ（ＴＢＳ）スケーリングパラメータに関連し、ここにおいて、前記ＴＢＳスケーリングパラメータは、前記適応サブフレーム構成に少なくとも部分的に基づいて決定される、請求項１に記載の方法。
【請求項１３】
前記適応サブフレーム構成が、前記フレームのＤＬサブフレーム、スペシャルサブフレーム、またはＵＬサブフレームに関連するハイブリッド自動再送要求（ＨＡＲＱ）プロセスのセットとは異なるＨＡＲＱプロセスに関連する、請求項１に記載の方法。
【請求項１４】
ユーザ機器（ＵＥ）であって、
基地局から、フレームのサブフレームのための最初のアップリンク／ダウンリンク（ＵＬ／ＤＬ）構成への変更を示す指示を受信するための手段と、ここにおいて、前記最初のＵＬ／ＤＬ構成は前記フレームの各サブフレームのための最初のサブフレーム構成オプションを定義し、前記最初のサブフレーム構成オプションはＵＬサブフレーム構成、ＤＬサブフレーム構成、またはスペシャルサブフレーム構成を備える、
前記指示に少なくとも部分的に基づいて、前記フレームの前記サブフレームのための適応サブフレーム構成を決定するための手段と、ここにおいて、前記適応サブフレーム構成は、前記サブフレームのための前記最初のサブフレーム構成オプションが前記ＵＬサブフレーム構成、前記ＤＬサブフレーム構成、または前記スペシャルサブフレーム構成であるかどうかに関わらず、少なくとも１つのダウンリンク（ＤＬ）シンボル期間と少なくとも１つのアップリンク（ＵＬ）シンボル期間とを備え、前記少なくとも１つのＤＬシンボル期間と前記少なくとも１つのＵＬシンボル期間は前記サブフレームのための前記最初のサブフレーム構成オプションに少なくとも部分的に基づく、
前記適応サブフレーム構成に従って前記サブフレーム中に通信するための手段と
を備えるＵＥ。
【請求項１５】
ユーザ機器であって、
プロセッサと、
前記プロセッサと電子通信しているメモリと、
前記メモリに記憶された命令とを備え、前記命令は、前記プロセッサによって実行されたとき、前記装置に、
基地局から、フレームのサブフレームのための最初のアップリンク／ダウンリンク（ＵＬ／ＤＬ）構成への変更を示す指示を受信することと、ここにおいて、前記最初のＵＬ／ＤＬ構成は前記フレームの各サブフレームのための最初のサブフレーム構成オプションを定義し、前記最初のサブフレーム構成オプションはＵＬサブフレーム構成、ＤＬサブフレーム構成、またはスペシャルサブフレーム構成を備える、
前記指示に少なくとも部分的に基づいて、前記フレームの前記サブフレームのための適応サブフレーム構成を決定することと、ここにおいて、前記適応サブフレーム構成は、前記サブフレームのための前記最初のサブフレーム構成オプションが前記ＵＬサブフレーム構成、前記ＤＬサブフレーム構成、または前記スペシャルサブフレーム構成であるかどうかに関わらず、少なくとも１つのダウンリンク（ＤＬ）シンボル期間と少なくとも１つのアップリンク（ＵＬ）シンボル期間とを備え、前記少なくとも１つのＤＬシンボル期間と前記少なくとも１つのＵＬシンボル期間は前記サブフレームのための前記最初のサブフレーム構成オプションに少なくとも部分的に基づく、
前記適応サブフレーム構成に従って前記サブフレーム中に通信することと
を行わせるように動作可能である、ユーザ機器。
【請求項１６】
前記最初のＵＬ／ＤＬ構成は、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づく、請求項１５に記載のＵＥ。
【請求項１７】
前記適応サブフレーム構成は、ＤＬ動作のためのシンボルパーティションの第１のセットと、ＵＬ動作のためのシンボルパーティションの第２のセットとを備える、請求項１５に記載のＵＥ。
【請求項１８】
前記適応サブフレーム構成は、２つまたはそれ以上の異なる開始シンボルを備え、ここにおいて、各開始シンボルは、あるタイプのＵＬ制御情報（ＵＣＩ）またはＵＬ共有データに関連する、請求項１５に記載のＵＥ。
【請求項１９】
前記指示は前記適応サブフレーム構成の第１の構造を示すＤＬ許可に関連し、ＵＬ許可が前記適応サブフレーム構成第２の構造を示す、請求項１５に記載のＵＥ。
【請求項２０】
ワイヤレス通信のためのコードを記憶する非一時的コンピュータ可読媒体であって、前記コードは、
基地局から、フレームのサブフレームのための最初のアップリンク／ダウンリンク（ＵＬ／ＤＬ）構成への変更を示す指示を受信することと、ここにおいて、前記最初のＵＬ／ＤＬ構成は前記フレームの各サブフレームのための最初のサブフレーム構成オプションを定義し、前記最初のサブフレーム構成オプションはＵＬサブフレーム構成、ＤＬサブフレーム構成、またはスペシャルサブフレーム構成を備える、
前記指示に少なくとも部分的に基づいて、前記フレームの前記サブフレームのための適応サブフレーム構成を決定することと、ここにおいて、前記適応サブフレーム構成は、前記サブフレームのための前記最初のサブフレーム構成オプションが前記ＵＬサブフレーム構成、前記ＤＬサブフレーム構成、または前記スペシャルサブフレーム構成であるかどうかに関わらず、少なくとも１つのダウンリンク（ＤＬ）シンボル期間と少なくとも１つのアップリンク（ＵＬ）シンボル期間とを備え、前記少なくとも１つのＤＬシンボル期間と前記少なくとも１つのＵＬシンボル期間は前記サブフレームのための前記最初のサブフレーム構成オプションに少なくとも部分的に基づく、
前記適応サブフレーム構成に従って前記サブフレーム中に通信することと
を行うためにプロセッサによって実行可能な命令を備える、非一時的コンピュータ可読媒体。
【手続補正２】
【補正対象書類名】明細書
【補正対象項目名】０１５６
【補正方法】変更
【補正の内容】
【０１５６】
[0166]添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
以下に本願の出願当初の特許請求の範囲に記載された発明を付記する。
［Ｃ１］  ワイヤレス通信の方法であって、
フレームの各サブフレームのためのサブフレーム構成オプションを定義するアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することとを備える方法。
［Ｃ２］  前記サブフレーム構成オプションが、前記フレームの各サブフレームのための、スペシャルサブフレーム構成、ＤＬサブフレーム構成、または、ＵＬサブフレーム構成を備える、Ｃ１に記載の方法。
［Ｃ３］  前記制約は、前記サブフレームのための前記ＵＬ／ＤＬ構成がＤＬサブフレーム構成であるとき、セル固有基準信号（ＣＲＳ）送信またはマルチメディアブロードキャストマルチキャストサービス（ＭＢＭＳ）送信に少なくとも部分的に基づく、Ｃ１に記載の方法。
［Ｃ４］  前記制約は、前記サブフレームのための前記ＵＬ／ＤＬ構成がスペシャルサブフレーム構成であるとき、同期信号に少なくとも部分的に基づく、Ｃ１に記載の方法。
［Ｃ５］  前記制約は、前記サブフレームのための前記ＵＬ／ＤＬ構成がＵＬサブフレーム構成であるとき、サウンディング基準信号（ＳＲＳ）送信に少なくとも部分的に基づく、Ｃ１に記載の方法。
［Ｃ６］  前記ＵＬ／ＤＬ構成が、システム情報（ＳＩ）、拡張干渉管理およびトラフィック適応（ｅＩＭＴＡ）指示、またはＤＬハイブリッド自動再送要求（ＨＡＲＱ）基準構成のうちの少なくとも１つ、あるいはそれらの任意の組合せの受信に部分的に基づいて識別される、Ｃ１に記載の方法。
［Ｃ７］  前記適応サブフレーム構成が、ユーザ機器（ＵＥ）のセットに対応する２つまたはそれ以上のシンボルパーティションを備える、Ｃ１に記載の方法。
［Ｃ８］  各シンボルパーティションが、ＤＬ部分と、ＵＬ部分と、ガード期間とを備え、ここにおいて、各パーティションのための前記ＤＬ部分は、別のシンボルパーティションのＵＬ部分が開始する前に終了する、Ｃ７に記載の方法。
［Ｃ９］  各シンボルパーティションが、ＵＥの前記セットのうちの対応するＵＥのための、ＤＬデータに対するＵＬデータの比率、ＵＬタイミングアドバンス、リンクバジェット、またはＵＥ処理能力に少なくとも部分的に基づく、Ｃ７に記載の方法。
［Ｃ１０］  前記適応サブフレーム構成の指示を１つまたは複数のユーザ機器（ＵＥ）に送信することをさらに備える、Ｃ１に記載の方法。
［Ｃ１１］  基地局から前記適応サブフレーム構成の指示を受信することをさらに備え、ここにおいて、前記適応サブフレーム構成の前記決定が、前記指示に少なくとも部分的に基づく、Ｃ１に記載の方法。
［Ｃ１２］  前記適応サブフレーム構成が、ＤＬ動作のためのシンボルパーティションの第１のセットと、ＵＬ動作のためのシンボルパーティションの第２のセットとを備える、Ｃ１に記載の方法。
［Ｃ１３］  前記適応サブフレーム構成が、２つまたはそれ以上の異なる開始シンボルを備え、ここにおいて、各開始シンボルが、あるタイプのＵＬ制御情報（ＵＣＩ）またはＵＬ共有データに関連する、Ｃ１に記載の方法。
［Ｃ１４］  前記適応サブフレーム構成が、ＵＬ制御チャネルとＵＬデータチャネルとを備える、Ｃ１に記載の方法。
［Ｃ１５］  前記適応サブフレーム構成が、ＵＬデータ部分とハイブリッド自動再送要求（ＨＡＲＱ）フィードバック部分とを備える、Ｃ１に記載の方法。
［Ｃ１６］  前記適応サブフレーム構成が、周波数分割多重化（ＦＤＭ）構成または時分割多重化（ＴＤＭ）構成、あるいはそれらの組合せを備える、Ｃ１に記載の方法。
［Ｃ１７］  前記適応サブフレーム構成のＤＬ部分が、少なくとも１つの制御チャネルシンボル期間と少なくとも１つのデータチャネルシンボル期間とを備える、Ｃ１に記載の方法。
［Ｃ１８］  ＤＬ許可が前記適応サブフレーム構成の第１の構造を示し、ＵＬ許可が前記適応サブフレーム構成の第２の構造を示す、Ｃ１に記載の方法。
［Ｃ１９］  前記適応サブフレーム構成が基準信号構成を備え、ここにおいて、前記基準信号構成の各基準信号が、前記サブフレームの始めに実質的に位置する、Ｃ１に記載の方法。
［Ｃ２０］  前記基準信号構成がチャネル状態情報（ＣＳＩ）基準信号（ＣＳＩ−ＲＳ）構成を備え、ここにおいて、前記ＣＳＩ−ＲＳ構成が動的にまたは半静的に示される、Ｃ１９に記載の方法。
［Ｃ２１］  前記適応サブフレーム構成が、ＤＬ動作またはＵＬ動作のうちの少なくとも１つのためのトランスポートブロックサイズ（ＴＢＳ）スケーリングパラメータに関連し、ここにおいて、前記ＴＢＳスケーリングパラメータが、前記適応サブフレーム構成に少なくとも部分的に基づいて決定される、Ｃ１に記載の方法。
［Ｃ２２］  前記適応サブフレーム構成が、前記フレームのＤＬサブフレーム、スペシャルサブフレーム、またはＵＬサブフレームに関連するハイブリッド自動再送要求（ＨＡＲＱ）プロセスのセットとは異なるＨＡＲＱプロセスに関連する、Ｃ１に記載の方法。
［Ｃ２３］  前記適応サブフレーム構成が、前記ＵＬ／ＤＬ構成に関連するソフトバッファの第２の部分とは異なる前記ソフトバッファの第１の部分に関連する、Ｃ１に記載の方法。
［Ｃ２４］  前記フレームの別のサブフレームに関する前記適応サブフレーム構成のための干渉統計値をワイヤレスネットワークの別の基地局と交換することをさらに備える、Ｃ１に記載の方法。
［Ｃ２５］  ワイヤレス通信のための装置であって、
フレームの各サブフレームのためのサブフレーム構成オプションを定義する第１のアップリンク／ダウンリンク（ＵＬ／ＤＬ）構成を識別するための手段と、
前記ＵＬ／ＤＬ構成に少なくとも部分的に基づいて、前記フレームのサブフレームのための制約を決定するための手段と、
前記制約に少なくとも部分的に基づいて、前記サブフレームのための適応サブフレーム構成を決定するための手段と、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信するための手段とを備える装置。
［Ｃ２６］  前記適応サブフレーム構成の指示を１つまたは複数のユーザ機器（ＵＥ）に送信するための手段をさらに備える、Ｃ２５に記載の装置。
［Ｃ２７］  基地局から前記適応サブフレーム構成の指示を受信するための手段をさらに備え、ここにおいて、前記適応サブフレーム構成を決定するための前記手段が、前記指示に少なくとも部分的に基づいて動作可能である、Ｃ２５に記載の装置。
［Ｃ２８］  前記フレームの別のサブフレームに関する前記適応サブフレーム構成のための干渉統計値をワイヤレスネットワークの別の基地局と交換するための手段をさらに備える、Ｃ２５に記載の装置。
［Ｃ２９］  ワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
フレームの各サブフレームのためのサブフレーム構成オプションを定義する第１のアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することと
を行わせるように動作可能である、装置。
［Ｃ３０］  ワイヤレス通信のためのコードを記憶する非一時的コンピュータ可読媒体であって、前記コードは、
フレームの各サブフレームのためのサブフレーム構成オプションを定義する第１のアップリンク／ダウンリンク（ＵＬ／ＤＬ）構成を識別することと、
前記ＵＬ／ＤＬ構成に少なくとも部分的に基づいて、前記フレームのサブフレームのための制約を決定することと、
前記制約に少なくとも部分的に基づいて、前記サブフレームのための適応サブフレーム構成を決定することと、ここにおいて、前記適応サブフレーム構成が、少なくとも１つのダウンリンク（ＤＬ）シンボル期間と少なくとも１つのアップリンク（ＵＬ）シンボル期間とを備える、
前記適応サブフレーム構成に従って前記サブフレーム中に通信することとを行うために実行可能な命令を備える、非一時的コンピュータ可読媒体。
【外国語明細書】
2020167713000001.pdf